(57)【特許請求の範囲】
【請求項１】
パーク保留ボタンを備えた１以上の電話端末の収容が可能な複数の電話制御装置が、広域ネットワークを通じて接続されて構成される電話システムの前記電話制御装置であって、
前記広域ネットワークを通じて他の電話制御装置との間に通信路を接続し、当該他の電話制御装置に収容された電話端末と自機に収容された電話端末との間で通話を可能にするためのシステム情報を記憶するシステム情報記憶手段と、
操作されたパーク保留ボタンを特定するパーク保留ボタン特定情報と、パーク保留ボタンの操作が行われたパーク保留の実行操作元を特定する保留操作元特定情報と、パーク保留ボタンが操作されることにより保留状態とされた通話回線を特定する保留回線特定情報とを記憶するパーク保留情報記憶手段と、
前記広域ネットワークを通じて前記電話システムの他の電話制御装置から送信されて来る、前記パーク保留ボタン特定情報と、前記保留操作元特定情報と、前記保留回線特定情報とを含むパーク保留設定要求を受信する設定要求受信手段と、
前記設定要求受信手段を通じて前記パーク保留設定要求を受信した場合に、当該パーク保留設定要求に含まれる前記パーク保留ボタン特定情報と、前記保留操作元特定情報と、前記保留回線特定情報とを前記パーク保留情報記憶手段に設定する第１の設定手段と、
前記設定要求受信手段を通じて前記パーク保留設定要求を受信した場合に、自機に収容された電話端末のそれぞれについて、当該パーク保留設定要求の前記パーク保留ボタン特定情報によって特定されるパーク保留ボタンに対して通話回線が保留状態に設定されたことを表示するようにする第１の設定表示制御手段と、
自機に収容された電話端末において、前記パーク保留設定要求に応じて通話回線が保留状態に設定されたパーク保留ボタンが操作された場合に、当該電話端末から提供される、操作されたパーク保留ボタンに対応するパーク保留ボタン特定情報を含むパーク保留応答通知を受け付ける応答通知受付手段と、
前記応答通知受付手段を通じて、前記パーク保留応答通知を受け付けた場合に、前記パーク保留応答通知を送信してきた自機に収容している電話端末と、前記パーク保留情報記憶手段の設定情報により特定される保留状態にされた通話回線とを接続し、通話を行えるようにする応答処理手段と
を備えることを特徴とする電話制御装置。
【請求項２】
請求項１に記載の電話制御装置であって、
自機に収容された通話中の電話端末において、前記パーク保留設定要求に応じて通話回線が保留状態に設定されていないパーク保留ボタンが操作された場合に、当該電話端末から提供される、前記パーク保留ボタン特定情報を含むパーク保留通知を受け付ける保留通知受付手段と、
前記保留通知受付手段を通じて前記パーク保留通知を受け付けた場合に、前記パーク保留通知の送信元の電話端末との間に接続されている通話回線を保留状態にする保留状態処理手段と、
前記保留通知受付手段を通じて前記パーク保留通知を受け付けた場合に、前記パーク保留ボタン特定情報と、前記保留操作元特定情報と、前記保留回線特定情報とを含む前記パーク保留設定要求を形成し、前記広域ネットワークを通じて前記電話システムの他の電話制御装置に送信する設定要求送信手段と、
前記保留通知受付手段を通じて前記パーク保留通知を受け付けた場合に、前記パーク保留ボタン特定情報と、前記保留操作元特定情報と、前記保留回線特定情報とを前記パーク保留情報記憶手段に設定する第２の設定手段と、
前記保留通知受付手段を通じて前記パーク保留通知を受け付けた場合に、自機に収容された電話端末のそれぞれについて、当該パーク保留通知の前記パーク保留ボタン特定情報によって特定されるパーク保留ボタンに対して通話回線が保留状態に設定されたことを表示するようにする第２の設定表示制御手段と、
前記応答処理手段により通話を行えるようにした場合に、操作されたパーク保留ボタンを特定する前記パーク保留ボタン特定情報を含むパーク保留解除要求を形成し、前記広域ネットワークを通じて前記電話システムの他の電話制御装置に送信する解除要求送信手段と、
前記広域ネットワークを通じて前記電話システムの他の電話制御装置から送信されて来る、前記パーク保留解除要求を受信する解除要求受信手段と、
前記応答処理手段により通話を行えるようにした場合と、前記解除要求受信手段を通じて前記パーク保留解除要求を受信した場合に、前記パーク保留ボタン特定情報によって特定される前記パーク保留情報記憶手段の設定情報を解除する設定解除手段と、
前記応答処理手段により通話を行えるようにした場合と、前記解除要求受信手段を通じて前記パーク保留解除要求を受信した場合に、自機に収容された電話端末のそれぞれについて、前記パーク保留ボタン特定情報によって特定されるパーク保留ボタンに対して通話回線が保留状態に設定されたことの表示を解除する解除表示制御手段と
を備えることを特徴とする電話制御装置。
【請求項３】
請求項１に記載の電話制御装置であって、
前記電話システムを構成する複数の電話制御装置の内の１つがマスター電話制御装置となり、その他がスレーブ電話制御装置となるように定められており、
前記スレーブ電話制御装置となる前記電話制御装置は、
自機に収容された通話中の電話端末において、前記パーク保留設定要求に応じて通話回線が保留状態に設定されていないパーク保留ボタンが操作された場合に、当該電話端末から提供される、前記パーク保留ボタン特定情報を含むパーク保留通知を受け付ける保留通知受付手段と、
前記保留通知受付手段を通じて前記パーク保留通知を受け付けた場合に、前記パーク保留ボタン特定情報と、前記保留操作元特定情報と、前記保留回線特定情報とを含むパーク保留実行要求を形成し、前記広域ネットワークを通じて、少なくとも前記マスター電話制御装置に送信し、前記パーク保留通知の送信元の電話端末との間に接続されている通話回線を保留状態にする保留状態処理手段と
を備え、
前記マスター電話制御装置となる前記電話制御装置は、
前記スレーブ電話制御装置からの前記パーク保留実行要求を受信する実行要求受信手段と、
前記実行要求受信手段を通じて前記パーク保留実行要求を受信した場合に、前記パーク保留実行要求に含まれる前記パーク保留ボタン特定情報と、前記保留操作元特定情報と、前記保留回線特定情報とを含むパーク保留設定要求を形成し、前記広域ネットワークを通じて各スレーブ電話制御装置に送信する設定要求送信手段と、
前記実行要求受信手段を通じて前記パーク保留実行要求を受信した場合に、前記パーク保留ボタン特定情報と、前記保留操作元特定情報と、前記保留回線特定情報とを前記パーク保留情報記憶手段に設定する第２の設定手段と、
前記実行要求受信手段を通じて前記パーク保留実行要求を受信した場合に、自機に収容された電話端末のそれぞれについて、当該パーク保留設定要求の前記パーク保留ボタン特定情報によって特定されるパーク保留ボタンに対して通話回線が保留状態に設定されたことを表示するようにする第２の設定表示制御手段と
を備えることを特徴とする電話制御装置。
【請求項４】
請求項１に記載の電話制御装置であって、
前記電話システムを構成する複数の電話制御装置の内の１つがマスター電話制御装置となり、その他がスレーブ電話制御装置となるように定められており、
前記マスター電話制御装置となる前記電話制御装置は、
自機に収容された通話中の電話端末において、前記パーク保留設定要求に応じて通話回線が保留状態に設定されていないパーク保留ボタンが操作された場合に、当該電話端末から提供される、パーク保留ボタン特定情報を含むパーク保留実行通知を受け付ける実行通知受付手段と、
前記実行通知受付手段を通じて前記パーク保留実行通知を受け付けた場合に、前記パーク保留実行通知の送信元の電話端末との間に接続されている通話回線を保留状態にする保留状態処理手段と、
前記実行通知受付手段を通じて前記パーク保留実行通知を受け付けた場合に、前記パーク保留ボタン特定情報と、前記保留操作元特定情報と、前記保留回線特定情報とを含む前記パーク保留設定要求を形成して、前記広域ネットワークを通じて前記電話システムの各スレーブ電話制御装置に送信する設定要求送信手段と、
前記実行通知受付手段を通じて前記パーク保留実行通知を受け付けた場合に、前記パーク保留ボタン特定情報と、前記保留操作元特定情報と、前記保留回線特定情報とを前記パーク保留情報記憶手段に設定する第２の設定手段と、
前記実行通知受付手段を通じて前記パーク保留実行通知を受け付けた場合に、自機に収容された電話端末のそれぞれの、当該パーク保留設定要求の前記パーク保留ボタン特定情報によって特定されるパーク保留ボタンに対して通話回線が保留状態に設定されたことを表示するようにする第２の設定表示制御手段と
を備えることを特徴とする電話制御装置。
【請求項５】
請求項３または請求項４のいずれかに記載の電話制御装置であって、
保留状態とされた前記通話回線を保持していた前記スレーブ電話制御装置は、前記マスター電話制御装置との間で保留音の送信のために接続している通話回線の切断要求を形成し、前記広域ネットワークを通じて前記電話システムの前記マスター電話制御装置に送信する切断要求送信処理手段を備え、
前記電話システムのスレーブ電話制御装置となる前記電話制御装置は、
前記広域ネットワークを通じて前記電話システムの前記マスター電話制御装置から送信されて来る、前記パーク保留ボタン特定情報を含む第２のパーク保留解除要求を受信するスレーブ側解除要求受信手段と、
前記応答処理手段により通話を行えるようにした場合と、前記スレーブ側解除要求受信手段を通じて前記第２のパーク保留解除要求を受信した場合に、前記パーク保留ボタン特定情報によって特定される前記パーク保留情報記憶手段の設定情報を解除するスレーブ側設定解除手段と、
前記応答処理手段により通話を行えるようにした場合と、前記スレーブ側解除要求受信手段を通じて前記第２のパーク保留解除要求を受信した場合に、自機に収容された電話端末のそれぞれについて、前記パーク保留ボタン特定情報によって特定されるパーク保留ボタンに対して通話回線が保留状態に設定されたことの表示を解除する第２の解除表示制御手段と
を備え、
前記マスター電話制御装置となる前記電話制御装置は、
前記スレーブ電話制御装置からの前記切断要求を受信する切断要求受信手段と、
前記応答処理手段により、通話を行えるようにした場合と、前記切断要求受信手段を通じて前記切断要求を受信した場合に、前記パーク保留ボタン特定情報を含む前記第２のパーク保留解除要求を、前記広域ネットワークを通じて前記電話システムの各スレーブ電話制御装置に送信するマスター側解除要求送信処理手段と、
前記応答処理手段により、通話を行えるようにした場合と、前記切断要求受信手段を通じて前記切断要求を受信した場合に、前記パーク保留ボタン特定情報によって特定される前記パーク保留情報記憶手段の設定情報を解除するマスター側設定解除手段と、
前記応答処理手段により、通話を行えるようにした場合と、前記切断要求受信手段を通じて切断要求を受信した場合に、自機に収容された電話端末のそれぞれについて、前記パーク保留ボタン特定情報によって特定されるパーク保留ボタンに対して通話回線が保留状態に設定されたことの表示を解除するマスター側解除表示制御手段と
を備えることを特徴とする電話制御装置。
【請求項６】
パーク保留ボタンを備えた１以上の電話端末の収容が可能な複数の電話制御装置が、広域ネットワークを通じて接続されて構成される電話システムの前記電話制御装置で用いられるパーク保留制御方法あって、
前記電話制御装置のそれぞれは、前記広域ネットワークを通じて他の電話制御装置との間に通信路を接続し、当該他の電話制御装置に収容された電話端末と自機に収容された電話端末との間で通話を可能にするためのシステム情報を記憶するシステム情報記憶手段と、操作されたパーク保留ボタンを特定するパーク保留ボタン特定情報と、パーク保留ボタンの操作が行われたパーク保留の実行操作元を特定する保留操作元特定情報と、パーク保留ボタンが操作されることにより保留状態とされた通話回線を特定する保留回線特定情報とを記憶するパーク保留情報記憶手段とを備えており、
前記電話制御装置のそれぞれにおいては、
設定要求受信手段を通じて、前記広域ネットワークを通じて前記電話システムの他の電話制御装置から送信されて来る、前記パーク保留ボタン特定情報と、前記保留操作元特定情報と、前記保留回線特定情報とを含むパーク保留設定要求を受信する設定要求受信工程と、
前記設定要求受信工程において前記パーク保留設定要求を受信した場合に、第１の設定手段が、当該パーク保留設定要求に含まれる前記パーク保留ボタン特定情報と、前記保留操作元特定情報と、前記保留回線特定情報とを前記パーク保留情報記憶手段に設定する第１の設定工程と、
前記設定要求受信工程において前記パーク保留設定要求を受信した場合に、第１の設定表示制御手段が、自機に収容された電話端末のそれぞれについて、当該パーク保留設定要求の前記パーク保留ボタン特定情報によって特定されるパーク保留ボタンに対して通話回線が保留状態に設定されたことを表示するようにする第１の設定表示制御工程と、
自機に収容された電話端末において、前記パーク保留設定要求に応じて通話回線が保留状態に設定されたパーク保留ボタンが操作された場合に、応答通知受信手段が、当該電話端末から提供される、操作されたパーク保留ボタンに対応するパーク保留ボタン特定情報を含むパーク保留応答通知を受け付ける応答通知受付工程と、
前記応答通知受付工程を通じて、前記パーク保留応答通知を受け付けた場合に、応答処理手段が、前記パーク保留応答通知を送信してきた自機に収容している電話端末と、前記パーク保留情報記憶手段の設定情報により特定される保留状態にされた通話回線とを接続し、通話を行えるようにする応答処理工程と
を有することを特徴とするパーク保留制御方法。
【発明の詳細な説明】
【技術分野】
【０００１】
この発明は、複数の電話機（電話端末）を収容する複数の電話制御装置が広域ネットワークを通じて接続されて形成される電話システムにおいて、電話制御装置間においてもいわゆるパーク保留機能を実現するための電話制御装置及びパーク保留制御方法に関する。
【背景技術】
【０００２】
例えば、事業所内において、ＳＩＰサーバや主装置などと呼ばれる電話制御装置に複数の電話機を接続することにより形成されるいわゆるボタン電話システム（ビジネスホンシステム）においては、従来から便利な機能としてパーク保留機能が提供されている。パーク保留機能は、後に記す特許文献１などに説明されているように、通話中に「パーク保留ボタン」を押すことにより、通話相手を保留するようにし、別の電話機から保留を解除して通話を再開できる機能である。
【０００３】
すなわち、パーク保留機能は、通話中に各電話機に共通に設けられているパーク保留ボタンを押すことにより、当該パーク保留ボタンに対して接続中の通話回線を保留状態する。そして、パーク保留機能は、任意の電話機において、通話回線が保留状態にされているパーク保留ボタンが操作された場合に、当該任意の電話機と保留状態となっていた通話回線とを接続して、当該任意の電話機を通じて通話を引き継ぐことができるようにする。
【０００４】
このように、パーク保留機能は、離れたところの席の相手に電話をかわるときに便利な機能であり、事業所内などの複数の電話機がある場合に使われる機能である。そして、パーク保留機能は上述もしたように、パーク保留ボタンに対して保留状態にする通話回線を割り当てる（設定する）ものであり、電話番号別に決まった操作ボタンに保留させるものではない。このため、ボタン電話システムにおいて、共通のパーク保留ボタンを作ることで、電話機に設けられる限りある操作ボタンを有効に活用し、事業所内での保留転送を円滑に行うことができる。
【先行技術文献】
【特許文献】
【０００５】
【特許文献１】特開平５−２５２５５７号公報
【発明の概要】
【発明が解決しようとする課題】
【０００６】
近年においては、例えば、東京本社と関西支社と東北支社とのそれぞれに構築されたボタン電話システム間を、広域ネットワークを介して相互に接続することにより、広い範囲に（広域に）電話システムを構築することが行われている。なお、広域ネットワークは、例えば、電話網、光通信網、ＩＰ（Internet Protocol）網など、広い範囲に形成される種々の通信網（ネットワーク）を含む。このように広域に電話システムを構築することにより、地理的に離れたボタン電話システム間においても、安価に、あるいは、通話料金をかけずに内線通話を行うことができるようにされる。
【０００７】
しかし、上述したパーク保留機能は、同一ボタン電話システム内の機能に留まっている。例えば、東京本社のボタン電話システムＡで保留した通話回線について、関西支社のボタン電話システムＢから保留を解除（保留に応答）して通話を引き継ぐといったことはできない。パーク保留機能は、保留したい通話回線を電話システム内のすべての電話機において共通に用いられるパーク保留ボタンに対して保留するように制御しなければならない。しかし、複数の電話機を収容してこれらを制御する電話制御装置が複数存在する広域の電話システムにおいては、パーク保留機能のためのボタン電話システム間の制御が複雑になるため、広域の電話システムでは実現できていない。
【０００８】
以上のことに鑑み、この発明は、複数のボタン電話システムを接続して構築されるいわゆる広域の電話システムにおいて、ボタン電話システム間においても、簡単かつ確実にパーク保留機能を使用できるようにすることを目的とする。
【課題を解決するための手段】
【０００９】
上記課題を解決するため、請求項１に記載の発明の電話制御装置は、
パーク保留ボタンを備えた１以上の電話端末の収容が可能な複数の電話制御装置が、広域ネットワークを通じて接続されて構成される電話システムの前記電話制御装置であって、
前記広域ネットワークを通じて他の電話制御装置との間に通信路を接続し、当該他の電話制御装置に収容された電話端末と自機に収容された電話端末との間で通話を可能にするためのシステム情報を記憶するシステム情報記憶手段と、
操作されたパーク保留ボタンを特定するパーク保留ボタン特定情報と、パーク保留ボタンの操作が行われたパーク保留の実行操作元を特定する保留操作元特定情報と、パーク保留ボタンが操作されることにより保留状態とされた通話回線を特定する保留回線特定情報とを記憶するパーク保留情報記憶手段と、
前記広域ネットワークを通じて前記電話システムの他の電話制御装置から送信されて来る、前記パーク保留ボタン特定情報と、前記保留操作元特定情報と、前記保留回線特定情報とを含むパーク保留設定要求を受信する設定要求受信手段と、
前記設定要求受信手段を通じて前記パーク保留設定要求を受信した場合に、当該パーク保留設定要求に含まれる前記パーク保留ボタン特定情報と、前記保留操作元特定情報と、前記保留回線特定情報とを前記パーク保留情報記憶手段に設定する第１の設定手段と、
前記設定要求受信手段を通じて前記パーク保留設定要求を受信した場合に、自機に収容された電話端末のそれぞれについて、当該パーク保留設定要求の前記パーク保留ボタン特定情報によって特定されるパーク保留ボタンに対して通話回線が保留状態に設定されたことを表示するようにする第１の設定表示制御手段と、
自機に収容された電話端末において、前記パーク保留設定要求に応じて通話回線が保留状態に設定されたパーク保留ボタンが操作された場合に、当該電話端末から提供される、操作されたパーク保留ボタンに対応するパーク保留ボタン特定情報を含むパーク保留応答通知を受け付ける応答通知受付手段と、
前記応答通知受付手段を通じて、前記パーク保留応答通知を受け付けた場合に、前記パーク保留応答通知を送信してきた自機に収容している電話端末と、前記パーク保留情報記憶手段の設定情報により特定される保留状態にされた通話回線とを接続し、通話を行えるようにする応答処理手段と
を備えることを特徴とする。
【００１０】
この請求項１に記載の発明の電話制御装置によれば、当該電話制御装置は広域ネットワークを通じて接続されることにより広域に電話システムを構成できるものである。当該電話制御装置は、広域ネットワークを通じて他の電話制御装置との間に通信路を接続し、当該他の電話制御装置に収容された電話端末と自機に収容された電話端末との間でいわゆる内線通話を可能にするためのシステム情報をシステム情報記憶手段に記憶する。当該システム情報は、自機や他の電話制御装置のＩＰアドレスや番号計画などを含むものである。また、当該電話制御装置は、異なる電話制御装置の配下の電話端末でもパーク保留機能を利用でできるようにするために、パーク保留ボタン特定情報と、保留操作元特定情報と、保留回線特定情報とを記憶するパーク保留情報記憶手段を備える。
【００１１】
そして、当該電話制御装置は、システム情報記憶手段のシステム情報が用いられることにより、広域ネットワークを通じて通信路が接続されて形成される電話システムの他の電話制御装置からのパーク保留設定要求を、設定要求受信手段を通じて受信する。当該パーク保留設定要求は、パーク保留ボタン特定情報と、保留操作元特定情報と、保留回線特定情報とを含む。電話制御装置は、設定要求受信手段を通じてパーク保留設定要求を受信すると、第１の設定手段が、当該パーク保留設定要求に含まれるパーク保留ボタン特定情報と、保留操作元特定情報と、保留回線特定情報とをパーク保留情報記憶手段に設定する。
【００１２】
また、電話制御装置は、第１の設定表示制御手段が、自機に収容された電話端末のそれぞれについて、受信したパーク保留設定要求のパーク保留ボタン特定情報によって特定されるパーク保留ボタンに対して通話回線が保留状態に設定されたことを表示するようにする。これにより、どのパーク保留ボタンに通話回線が保留状態に設定されているのかを視覚を通じて直感的に認識できる。
【００１３】
電話制御装置のそれぞれに収容された電話端末は、通話回線が保留状態に設定されたパーク保留ボタンが操作されると、操作されたパーク保留ボタンに対応するパーク保留ボタン特定情報を含むパーク保留応答通知を、自機を収容している電話制御装置に送信する。電話制御装置においては、応答通知受付手段を通じて、自機が収容している配下の電話端末からのパーク保留応答通知を受け付ける。
【００１４】
電話制御装置は、応答通知受付手段を通じて配下の電話端末からのパーク保留応答通知を受け付けると、応答処理手段が機能する。この場合、応答処理手段は、パーク保留応答通知を送信してきた自機に収容している電話端末はどの電話端末かを把握できる。また、電話制御装置の応答処理手段は、操作されたパーク保留ボタンに設定されているパーク保留設定情報の保留回線特定情報により、保留状態にされている通話回線は、どのボタン電話システムのどの通話回線かを把握できる。
【００１５】
このため、応答処理手段は、保留状態にされている通話回線を保持するボタン電話システムに応答要求を出すなどの所定の処理を行う。これにより、パーク保留応答通知を送信してきた自機に収容している電話端末と、操作されたパーク保留ボタンに設定されているパーク保留設定情報の保留回線特定情報により特定される保留状態にされた通話回線とが接続され通話が可能にされる。すなわち、ボタン電話システム間のパーク保留機能が実現される。
【発明の効果】
【００１６】
この発明によれば、複数のボタン電話システムを接続して構築されるいわゆる広域の電話システムにおいて、ボタン電話システム間においても、パーク保留機能の使用を実現できる。
【図面の簡単な説明】
【００１７】
【図１】電話システムの構成例を説明するためのブロック図である。
【図２】電話制御装置である主装置１の構成例を説明するためのブロック図である。
【図３】アドレスデータ記憶部１０６の格納データの例を説明するための図である。
【図４】番号計画データ記憶部１０７の格納データの例を説明するための図である。
【図５】パーク保留メモリ１４０の格納データの例を説明するための図である。
【図６】電話機２の構成例を説明するためのブロック図である。
【図７】電話機２の外観図である。
【図８】マスター主装置１Ａとスレーブ主装置１Ｂとの間にＩＰ網２００Ａを通じて通信路を接続する場合の動作（処理）を説明するためのシーケンス図である。
【図９】マスター主装置１Ａの配下の電話機２Ａ（１）からスレーブ主装置１Ｂの配下の電話機２Ｂ（１）に内線電話を掛ける場の動作（処理）について説明するためのシーケンス図である。
【図１０】電話システムの他の構成例を説明するための図である。
【図１１】第１の実施の形態のパーク保留機能の実行から終了までの処理を説明するためのシーケンス図である。
【図１２】図１１に続くシーケンス図である。
【図１３】第２の実施の形態のパーク保留機能の実行から終了までの処理を説明するためのシーケンス図である。
【図１４】図１３に続くシーケンス図である。
【発明を実施するための形態】
【００１８】
以下、図を参照しながら、この発明の装置、方法の実施の形態について説明する。この発明の装置、方法は、地理的に離れた場所に設置される主装置（電話制御装置）同士を、電話網やＩＰ網などからなる広域ネットワークを通じて接続して形成する電話システムにおいて、パーク保留機能を実現することができるものである。そして、以下においては、パーク保留機能について具体的に説明する前に、まず、広域の電話システムの形成について具体的に説明する。
【００１９】
[電話システムの構成例]
図１は、電話システムの構成例を説明するための図である。図１に示すように、この例電話システムは、本社（東京）、支社１（東北）、支社２（関西）、…というように、地理的に離れた場所に設置された主装置（電話制御装置）１Ａ、１Ｂ、１Ｃ、…のそれぞれが、ＩＰ網２００Ａや電話網２００Ｂなどからなる広域ネットワーク２００によって接続にされて構成される。
【００２０】
なお、図１において、ＩＰ網２００Ａは、インターネットプロトコルに従ってパケット化されたデータが送受されるネットワークを意味し、主にインターネットである。また、電話網２００Ｂは、公衆交換電話網、携帯電話網、光電話網など、電話会社などにより提供され、また、将来提供される種々の電話通信用の通信網を含む。
【００２１】
主装置１Ａには電話機２Ａ（１）、２Ａ（２）、…が、主装置１Ｂには電話機２Ｂ（１）、２Ｂ（２）、…が、主装置１Ｃには電話機２Ｃ（１）、２Ｃ（２）、…が、それぞれＬＡＮ（Local Area Network）を通じて接続される。これにより、本社や各支社においては、主装置とＬＡＮ接続される電話機とでボタン電話システムが構成される。
【００２２】
なお、この明細書においては、本社のボタン電話システムや支社のボタン電話システムというように、例えば、１つの主装置を広域ネットワーク２００への接続端として、同一構内に形成される電話に関するシステムをボタン電話システムという。また、広域ネットワーク２００を通じて複数の主装置１Ａ、１Ｂ、１Ｃ、…が接続されて広域に渡って形成される電話に関するシステムを単に電話システムという。
【００２３】
そして、この電話システムにおいては、本社に設置された主装置１Ａをマスター主装置（マスター電話制御装置）とし、各支社に設置される主装置１Ｂ、１Ｃ、…をスレーブ主装置（スレーブ電話制御装置）とする。主装置１Ａ、１Ｂ、１Ｃ、…のそれぞれは、電話会社側のＩＳＰ（Internet Service Provider）に最初にアクセスするようにした場合に、当該ＩＳＰサーバよりＩＰアドレスが割り当てられ、ＩＰ網２００Ａへの接続が可能な環境が整えられる。
【００２４】
なお、この実施の形態においては説明を簡単にするため、各主装置１Ａ、１Ｂ、１Ｃ、…には、電源が落とされるなどしてＩＰ網２００Ａとの接続が切断されても変わることのない固定ＩＰアドレスが割り当てられるものとする。もちろん、動的ＩＰアドレスを用いることも可能である。しかし、動的ＩＰアドレスを用いる場合には、動的ＩＰアドレスが変わるたびに、後述する電話システムへの接続要求を再度行って、ＩＰ網２００Ａを通じての通信路の接続のし直しを行う必要が生じる。
【００２５】
そして、各主装置１Ａ、１Ｂ、１Ｃ、…にＩＰアドレスが割り当てられただけでは、ＩＰ網２００Ａを通じて各主装置間を接続することはできない。ＩＰ網２００Ａを通じて通信路を接続する主装置間では相互に相手先のＩＰアドレスを知っている必要がある。相手先が相互に分からなければ相手先を特定した通信路の接続ができないためである。
【００２６】
そこで、この実施の形態の電話システムでは、マスター主装置１Ａとの間でＩＰ網２００Ａを通じた通信路の接続が確立していないスレーブ主装置に対しては、マスター主装置１ＡのＩＰアドレスなどを登録する。この予め登録されたマスター主装置のＩＰアドレスを用いて、当該スレーブ主装置からＩＰ網２００Ａを通じてマスター主装置１Ａにアクセスし（ログインし）、当該スレーブ主装置のＩＰアドレスをマスター主装置１Ａに提供して接続を要求する。これにより、マスター主装置１Ａは、接続要求元のスレーブ主装置のＩＰアドレスを取得して記憶保持し、当該スレーブ主装置とマスター主装置１Ａとの間に相互に通信路を接続することができる。
【００２７】
さらに、マスター主装置１Ａは、当該接続要求元のスレーブ主装置に対しては、既にＩＰ網２００Ａを通じて通信路を接続している他のスレーブ主装置のＩＰアドレスを提供する。また、マスター主装置１Ａは、当該接続要求元以外の既にＩＰ網２００Ａを通じて通信路を接続している他のスレーブ主装置に対しては、当該接続要求元のスレーブ主装置のＩＰアドレスを提供する。これにより、ＩＰ網２００Ａを通じて、各スレーブ主装置間もＩＰ網２００Ａを通じて相互に通信路を接続することができる。このようにして、各主装置間にＩＰ網２００Ａを通じて相互に通信路を接続し、ＩＰ網２００Ａを通じて通話を行うことができるようにされる。
【００２８】
なお、スレーブ主装置間における通信路の接続は、今回の接続要求元のスレーブ主装置から他のスレーブ主装置に対してＩＰ網２００Ａを通じてアクセスし、通信路を接続するようにすればよい。もちろん、今回の接続要求元以外のスレーブ主装置が、今回の接続要求元のスレーブ主装置に対してＩＰ網２００Ａを通じてアクセスし、通信路を接続するようにしてもよい。
【００２９】
ただし、既にマスター主装置１Ａとの間にＩＰ網２００Ａを通じて通信路を接続しているスレーブ主装置が複数存在する場合には、今回の接続要求元のスレーブ主装置に対して複数の接続要求が同時に発生することも考えられる。そこで、今回の接続要求元のスレーブ主装置に対して接続要求が同時に発生することを防止するためには、今回の接続要求元のスレーブ主装置から他のスレーブ主装置に対してアクセスする方式を用いればよい。
【００３０】
また、単にＩＰ網２００Ａを通じて各主装置間において相互に通信路を接続しただけでは、マスター主装置１Ａに収容された例えば電話機２Ａ（１）から、スレーブ主装置１Ｂに収容された電話機２Ｂ（１）に内線電話を掛けるといったことができない。すなわち、各主装置においては、自機も含めて同じ電話システムに属する全ての主装置における番号計画を把握していなければ、ボタン電話システム間の内線電話を実現できない。
【００３１】
また、使用者が各ボタン電話システムの区別をすることなく内線電話を掛けられるようにするためには、閉番号方式で番号計画を設定する必要がある。閉番号方式は、各ボタン電話システムで共通に利用可能ないわゆる内線特番（内線特殊番号）を除き、各ボタン電話システムにおいて用いられる内線番号が、その一部でも重複することのないように内線番号を設定する方式である。内線特番（内線特殊番号）とは、通常の内線番号とは異なる用途の番号を意味する。
【００３２】
そこで、この実施の形態においては、接続要求元のスレーブ主装置に番号計画がない場合には、マスター主装置１Ａが当該接続要求元のスレーブ主装置に対して番号計画を割り当てる。この場合、マスター主装置１Ａは、当該割り当てた番号計画を他のスレーブ主装置にも通知して、他のスレーブ主装置においても登録可能にする。
【００３３】
また、接続要求元のスレーブ主装置に番号計画がある場合には、マスター主装置１Ａが、その番号計画の提供を受けて、当該電話システムにおいて利用が可能なものか否かを判別する。この判別の結果、利用が可能であれば、接続要求元のスレーブ主装置に対して当該番号計画の利用を許可する。そして、マスター主装置１Ａにおいても接続要求元のスレーブ主装置から提供を受けた当該番号計画を登録すると共に、当該番号計画を他のスレーブ主装置にも通知して、他のスレーブ主装置においても登録可能にする。
【００３４】
なお、接続要求元のスレーブ主装置から提供を受けた番号計画が、他のボタン電話システムの番号計画と重複するなどのために利用が不能であれば、当該番号計画の利用を禁止し、マスター主装置１Ａが、当該接続要求元のスレーブ主装置に対して新たな番号計画を割り当てる。この場合、マスター主装置１Ａは、当該割り当てた新たな番号計画を他のスレーブ主装置にも通知して、他のスレーブ主装置においても登録可能にする。
【００３５】
このように、この実施の形態の電話システムでは、マスター主装置１Ａが、電話システム内の管理装置として機能し、工事担当者や使用者等の手を煩わせることなく、ＩＰアドレスなどのアドレスデータや番号計画データなどの必要になるシステム情報の配布を行う。これによって、外線通話やボタン電話システム内の内線通話だけでなく、ＩＰ網２００Ａを通じて各主装置間に通信路を接続できるようにし、ボタン電話システム間においても内線通話を行うことができるようにしている。
【００３６】
[主装置１Ａ、１Ｂ、１Ｃ、…の構成例]
次に、広域ネットワーク２００を通じて接続される各ボタン電話システムの主装置１Ａ、１Ｂ、１Ｃ、…の構成例について説明する。主装置１Ａ、１Ｂ、１Ｃ、…のそれぞれは、同様の構成を有し、マスター主装置にもスレーブ主装置にもなることができるものである。このため、以下においては、特に区別して示す場合を除き、主装置１Ａ、１Ｂ、１Ｃ、…のそれぞれを主装置１と総称する。
【００３７】
また、主装置１Ａに接続される電話機２Ａ（１）、２Ａ（２）、…、主装置１Ｂに接続される電話機２Ｂ（１）、２Ｂ（２）、…、主装置１Ｃに接続される電話機２Ｃ（１）、２Ｃ（２）、…、についても、特に区別して示す場合を除き、電話機２と総称する。また、主装置１Ａに接続される電話機２Ａ（１）、２Ａ（２）、…を総称する場合には、電話機２Ａと記載し、主装置１Ｂに接続される電話機２Ｂ（１）、２Ｂ（２）、…を総称する場合には、電話機２Ｂと記載し、主装置１Ｃに接続される電話機２Ｃ（１）、２Ｃ（２）、…を総称する場合には、電話機２Ｃと記載する場合がある。
【００３８】
図２は、主装置１の構成例を説明するためのブロック図である。主装置１は、いわゆるＳＩＰ（Session Initiation Protocol）サーバとして機能するものである。そして、主装置１は、ＩＰ網２００Ａや電話網２００Ｂを通じて通信回線を接続すると共に、自機に収容された電話機２のそれぞれを制御することができるものである。図２に示すように、主装置１は、ＩＰ網２００Ａへの接続端子１０１と、ＩＰ網インターフェース（以下、ＩＰ網Ｉ／Ｆと略称する。）１０２と、パケット分解／生成部１０３とを備える。
【００３９】
また、主装置１は、電話網インターフェース（以下、電話網Ｉ／Ｆと略称する。）１０４と、電話網２００Ｂへの接続端子１０５を備える。また、主装置１は、アドレスデータ記憶部１０６と、番号計画データ記憶部１０７と、マスター情報メモリ１０８を備える。さらに、主装置１は、ＬＡＮインターフェース（以下、ＬＡＮＩ／Ｆと略称する。）１０９と、ＬＡＮへの接続端子１１０と、外部インターフェース（以下、外部Ｉ／Ｆと略称する。）１１１と、外部端子１１２と、制御部１２０とを備える。
【００４０】
制御部１２０は、主装置１の各部を制御するものであり、図示しないが、ＣＰＵ（Central Processing Unit）、ＲＯＭ（Read Only Memory）、ＲＡＭ（Random Access Memory）、不揮発性メモリ等がシステムバスを通じて接続されて構成されたマイクロプロセッサである。また、制御部１２０は、通信路の接続状況を判別したり、スレーブ主装置からの内線番号などの番号計画が適切に利用可能なものかを判別したりする判別部としても機能する。
【００４１】
接続端子１０１は、ＩＰ網２００Ａへの接続端部を構成する。ＩＰ網Ｉ／Ｆ１０２は、ＩＰ網２００Ａを通じて供給されるパケットを受け付けて、これを自機において処理可能な形式のパケットに変換して制御部１２０に供給する。また、ＩＰ網Ｉ／Ｆ１０２は、制御部１２０を通じて供給される送信すべきパケットを送信用の形式のパケットに変換して、これをＩＰ網２００Ａに送出する。
【００４２】
接続端子１０５は電話網２００Ｂへの接続端部を構成する。電話網Ｉ／Ｆ１０４は、電話網２００Ｂを通じて供給されるデータ（情報）を受け付けて、これを自機において処理可能な形式のデータに変換して制御部１２０に供給する。また、電話網Ｉ／Ｆ１０４は、制御部１２０を通じて供給される送信すべきデータを送信用の形式のデータに変換して、これを電話網２００Ｂに送出する。
【００４３】
接続端子１１０はＬＡＮへの接続端部を構成する。ＬＡＮＩ／Ｆ１０９は、ＬＡＮを通じて供給されるパケットを受け付けて、これを自機において処理可能な形式のパケットに変換して制御部１２０に供給する。また、ＬＡＮＩ／Ｆ１０９は、制御部１２０を通じて供給される送信すべきパケットを送信用の形式のパケットに変換して、これをＬＡＮに送出する。
【００４４】
外部端子１１２は、例えばＰＣ（Personal Computer）など外部機器との接続端部を構成する。外部Ｉ／Ｆ１１１は、外部端子１１２に接続されたＰＣなどの外部機器からのデータを受け付けて、これを自機において処理可能な形式のデータに変換して制御部１２０に供給する。また、外部Ｉ／Ｆ１１１は、制御部１２０を通じて供給される外部端子１１２に接続された外部機器に送信すべきデータを送信用の形式のデータに変換して、これを外部機器に送出する。
【００４５】
パケット分解／生成部１０３は、パケットの分解や生成を行うものである。具体的には、ＬＡＮを通じて主装置１に対して接続される電話機２からの電話網２００Ｂに接続された端末装置に送信すべきパケットは、接続端子１１０、ＬＡＮＩ／Ｆ１０９を通じて制御部１２０に受け付けられる。当該パケットは、制御部１２０からパケット分解／生成部１０３に供給され、ここでパケット分解された後に、制御部１２０、電話網Ｉ／Ｆ１０４、接続端子１０５を通じて電話網２００Ｂに送出され、目的とする相手先に送信される。
【００４６】
また、電話網２００Ｂに接続された端末装置からのＬＡＮを通じて主装置１に接続された電話機２へのデータは、接続端子１０５、電話網Ｉ／Ｆ１０４を通じて制御部１２０に受け付けられる。当該データは、制御部１２０からパケット分解／生成部１０３に供給され、ここで所定の形式のパケットとされた後に、制御部１２０、ＬＡＮＩ／Ｆ１０９、接続端子１１０を通じて、ＬＡＮに送出されて目的とする電話機２に送信される。
【００４７】
なお、ＩＰ網２００Ａに接続された端末と、主装置１にＬＡＮを通じて接続される電話機２との間では、パケットが送受される。このため、パケット分解／生成部１０３において、パケットの分解や生成は行われることはなく、ＩＰ網Ｉ／Ｆ１０２、ＬＡＮＩ／Ｆ１０９において、パケットの形式が整えられてそのまま送受信される。同様に、主装置１にＬＡＮを通じて接続される同じボタン電話システム内の電話機２間においても、パケットが送受される。このため、この場合にも、パケット分解／生成部１０３においては、パケットの分解や生成は行われることはなく、ＬＡＮＩ／Ｆ１０９を通じてパケットが送受信される。
【００４８】
アドレスデータ記憶部１０６は、レジストラ・サーバ機能を実現するために、ＩＰ網２００Ａに接続され、自機や自機を通じて呼び出す可能性のある他の主装置等についてのアドレスデータを記憶保持する。図３は、アドレスデータ記憶部１０６に格納される格納データ（アドレスデータ）の例を説明するための図である。図３に示すように、この実施形態において、アドレスデータ記憶部１０６には、グループＩＤ、パスワード、ＩＰアドレス、システム番号、システム名称、優先順位の各データが格納される。
【００４９】
グループＩＤとパスワードは、複数の主装置１が接続されて構成されるこの実施の形態の電話システムについてのものである。グループＩＤは、複数の主装置１が接続されて構成される電話システムが、複数存在する場合もあり、それらを区別して管理できるようにするためのものである。パスワードは、アクセスしてくる外部機器が、当該電話システムにアクセス可能なものであるか否かの認証に用いるものである。これらグループＩＤやパスワードは、主装置１の外部Ｉ／Ｆ１１１及び外部端子１１２を通じて接続されるＰＣなどを通じて入力され、アドレスデータ記憶部１０６の該当エリアに書き込まれる。
【００５０】
ＩＰアドレス、システム番号、システム名称、優先順位の各データは、自機や自機に接続要求を送信してきた主装置１についての一連のアドレスデータである。ＩＰアドレスは、ＩＰ網２００Ａ上の自機の所在を示す情報であり、システム番号、システム名称は、ボタン電話システムのそれぞれを区別するための情報である。優先順位は、各主装置がマスター主装置になる場合の順番を示すものであり、現時点において最も優先順位が高い主装置がマスター主装置であり、その他の主装置がスレーブ主装置ということになる。
【００５１】
アドレスデータ記憶部１０６の１番目に登録されているＩＰアドレス、システム番号、システム名称、優先順位は、自機に関するものである。この内、ＩＰアドレスは、制御部１２０の制御の下、ＩＰ網Ｉ／Ｆ１０２及び接続端子１０１を通じてＩＰ網２００Ａ上に設けられている電話会社側のＩＳＰサーバに最初にアクセスした場合において、当該ＩＳＰサーバから付与される。
【００５２】
システム番号、システム名称、優先順位は、基本的にマスター主装置が自機も含め同じ電話システムに属する主装置に割り当てる。このため、マスター主装置において、外部Ｉ／Ｆ１１１及び外部端子１１２を通じて接続されるＰＣなどを通じて入力された、システム番号、システム名称、優先順位が登録されて利用される。
【００５３】
アドレスデータ記憶部１０６の２番目以降に登録されているＩＰアドレス、システム番号、システム名称、優先順位は、同じ電話システムに属する他の主装置に関するものである。例えば、当該主装置１がマスター主装置である場合、ＩＰ網Ｉ／Ｆ１０２を通じて、他の主装置からの接続要求（登録要求）を受信した場合に、これに含まれるＩＰアドレスがアドレスデータ記憶部１０６に登録される。
【００５４】
さらに、マスター主装置１の制御部１２０は、当該接続要求元の主装置に対して、システム番号、システム名称、優先順位を付与し、これが当該接続要求元の主装置のアドレスデータ記憶部１０６に登録される。また、当該主装置１がスレーブ主装置である場合には、ＩＰ網Ｉ／Ｆ１０２を通じて、マスター主装置から提供される他の主装置のＩＰアドレス、システム番号、システム名称、優先順位が、アドレスデータ記憶部１０６に登録される。
【００５５】
このようにして、アドレスデータ記憶部１０６に登録されて管理される情報が参照され、自機にＬＡＮを通じて接続されている電話機からの要求のあった相手先のボタン電話システムを特定することができるようにされる。そして、その特定した相手先に送信すべき情報（パケットデータ）を転送するようにするプロキシ・サーバとしての機能を主装置１が実現できるようにしている。
【００５６】
番号計画データ記憶部１０７は、各ボタン電話システムに割り当てられる内線番号の番号計画データを記憶する。番号計画データは、各ボタン電話システムにおいて独自に設定することもできるものである。しかし、上述もしたように、この実施の形態の電話システムでは、各ボタン電話システムの番号計画は、内線特番を除き、内線番号がその一部においても重複することがない閉番号方式を採用する。このため、番号計画データは、マスター主装置において、配布済みの番号計画データや配布可能な番号計画データを記憶して管理する。
【００５７】
図４は、番号計画データ記憶部１０７の格納データの例を説明するための図である。図４に示すように、番号計画データ記憶部１０７の格納データ（番号計画データ）は、システム番号、番号計画、配布済みフラグ（図４ではＦＬＧと記載）からなる。図４に示した例の場合、システム番号が「００１」のボタン電話システムには、番号計画として、１０００番台の内線番号と、特番として９０００番台の番号が割り当てられている。
【００５８】
また、システム番号が「００２」のボタン電話システムには、番号計画として、２０００番台の内線番号と、特番として９０００番台の番号が割り当てられている。また、システム番号が「００３」のボタン電話システムには、番号計画として、３０００番台の内線番号と、特番として９０００番台の番号が割り当てられている。そして、図４に示した番号計画データの場合、システム番号が「００１」と「００２」のボタン電話システムについての番号計画データは既に配布済みであり、システム番号が「００３」のボタン電話システムについての番号計画データは未配布であることが管理されている。
【００５９】
なお、番号計画データ記憶部１０７には、例えば、パーク保留ボタンなどのボタン情報（キー情報）も格納される。これにより、例えば、パーク保留ボタンとしては、ＰＫ１〜ＰＫ４までの４つが各主装置１の配下の電話機２で共通に用いることができるようにされる。
【００６０】
また、図２において点線で囲んで示したように、アドレスデータ記憶部１０６と番号計画データ記憶部１０７とによりシステム情報記憶部が構成される。すなわち、アドレスデータ記憶部１０６に記憶されているアドレスデータと番号計画データ記憶部１０７に記憶されている番号計画データとが、システム情報を構成し、これらのシステム情報に基づいてボタン電話システム間の通信を行うことができるようにされる。
【００６１】
マスター情報メモリ１０８は、当該主装置１がスレーブ主装置である場合に、マスター主装置のＩＰアドレスやパスワードからなるマスター情報を記憶する。スレーブ主装置からＩＰ網２００Ａを通じてマスター主装置にアクセスし、通信路を接続する場合に用いるためである。マスター情報メモリ１０８に記憶されるマスター主装置のＩＰアドレスやパスワードは、外部Ｉ／Ｆ１１１及び外部端子１１２を通じて接続されたＰＣなどから提供されたり、主装置１の図示しない操作部を通じて保守担当者等によって入力されたりするものである。
【００６２】
そして、図２に示した登録処理部１３１、配布処理部１３２、接続状態通知処理部１３３が、工事担当者等の人の手をできるだけ介在させることなく、広域ネットワーク２００を通じて通信路を接続し、広域に電話システムを構築するための主要部となる。登録処理部１３１は、図示しないが、第１〜第４の登録部１３１Ａ、１３１Ｂ、１３１Ｃ、１３１Ｄを備える。第１、第２の登録部１３１Ａ、１３１Ｂは、当該主装置１がマスター主装置として用いられる場合に機能する。また、第３、第４の登録部１３１Ｃ、１３１Ｄは、当該主装置１がスレーブ主装置として用いられる場合に機能する。
【００６３】
登録処理部１３１の第１の登録部１３１Ａは、当該主装置がマスター主装置として機能する場合に、予め決められるシステム情報の提供を受けて、これをシステム情報記憶部としてのアドレスデータ記憶部１０６や番号計画データ記憶部１０７に登録する。この場合の予め決められるシステム情報は、自機のＩＰアドレス、システム番号、システム名称、優先順位からなるアドレスデータと、自ボタン電話システムや予め登録するようにされた他ボタン電話システムの番号計画データである。
【００６４】
登録処理部１３１の第２の登録部１３１Ｂは、当該主装置がマスター主装置として機能する場合に、スレーブ主装置からＩＰ網２００Ａを通じて送信されてくるシステム情報を受け付けて、これをシステム情報記憶部としてのアドレスデータ記憶部１０６や番号計画データ記憶部１０７に登録する。この場合のスレーブ主装置からのシステム情報は、当該スレーブ主装置のアドレスデータとしてのＩＰアドレスや番号計画データなどである。
【００６５】
登録処理部１３１の第３の登録部１３１Ｃは、当該主装置がスレーブ主装置として機能する場合に、予め決められるシステム情報の提供を受けて、これをシステム情報記憶部としてのアドレスデータ記憶部１０６や番号計画データ記憶部１０７に登録する。この場合の予め決められるシステム情報は、自機のアドレスデータとしてのＩＰアドレスや自ボタン電話システムの番号計画データなどである。
【００６６】
登録処理部１３１の第４の登録部１３１Ｄは、当該主装置がスレーブ主装置として機能する場合に、ＩＰ網２００Ａを通じてマスター主装置から送信されてくるシステム情報を、システム情報記憶部としてのアドレスデータ記憶部１０６や番号計画データ記憶部１０７に登録する。この場合のマスター主装置から送信されてくるシステム情報は、他の主装置のＩＰアドレスや、自機や他の主装置のシステム番号、システム名称、優先順位などのアドレスデータ、また、自ボタン電話システムや他のボタン電話システムの番号計画データなどの情報である。
【００６７】
配布処理部１３２は、図示しないが、第１、第２の配布部１３２Ａ、１３２Ｂを備え、当該主装置がマスター主装置として機能する場合に機能する。配布処理部１３２の第１の配布部１３２Ａは、登録処理部１３１の第２の登録部１３１Ｂによって接続要求元のスレーブ主装置からのシステム情報をシステム情報記憶部に登録した後に、当該接続要求元のスレーブ主装置に対して、当該電話システムを構成する他の主装置のそれぞれについてのシステム情報を配布する。ここで配布されるシステム情報は、他の主装置のＩＰアドレス、システム番号、システム名称、優先順位からなるアドレスデータと、他のボタン電話システムの番号計画データである。
【００６８】
配布処理部１３２の第２の配布部１３２Ｂは、登録処理部１３１の第２の登録部１３１Ｂによって接続要求元のスレーブ主装置からのシステム情報をシステム情報記憶部に登録した後に、当該接続要求元以外の他の主装置のそれぞれに対して、当該接続要求元の主装置についてのシステム情報を配布する。ここで配布されるシステム情報は、当該接続要求元の主装置のＩＰアドレス、システム番号、システム名称、優先順位からなるアドレスデータと、当該接続要求元の主装置が属するボタン電話システムの番号計画データである。
【００６９】
接続状態通知処理部１３３は、当該主装置がマスター主装置として機能する場合に機能する。接続状態通知処理部１３３は、スレーブ主装置からマスター主装置へのログインやマスター主装置からのログオフを契機（トリガー）として、電話システムを各主装置のログイン状態（接続状態）や通信状態を確認して、これを接続中の各スレーブ主装置に通知する。これによって、各スレーブ主装置は、現時点において通信が可能な主装置と通信が不能な主装置とを適切に判別し、使用者に通知するなどのことができる。
【００７０】
これら登録処理部１３１及び配布処理部１３２の機能によって、当該主装置１が用いられて構成される電話システムにおいては、主装置を広域ネットワーク２００への接続端とするボタン電話システム間の接続を容易に行うことができる。しかも、複数の主装置が広域ネットワーク２００を通じて接続されて構成される電話システムにおいて、閉番号方式で内線番号を適切に設定し、ボタン電話システム間の内線通話も簡単に行うことができるようにしている。
【００７１】
そして、パーク保留メモリ１４０とパーク保留機能実行部１５０とが、主装置１において、広域に形成される電話システムにおいて、ボタン電話システム間におけるパーク保留機能を実現するための主要部となる。
【００７２】
パーク保留メモリ１４０は、当該電話システムに属するいずれかのボタン電話システムのいずれかの電話機２において、パーク保留ボタンが操作された場合に、自機において生成する、あるいは、他の主装置から提供されるパーク保留情報を記憶保持する。図５は、パーク保留メモリ１４０の格納データの例を説明するための図である。
【００７３】
図５に示すように、パーク保留メモリ１４０は、パーク保留ボタン欄と、保留元欄と、保留回線欄とを備えている。パーク保留ボタン欄には、操作されたパーク保留ボタンを特定する情報であるパーク保留ボタン特定情報が格納される。保留元欄には、当該パーク保留ボタンが操作されたのは、どのボタン電話システムのどの電話機かを示す情報、すなわち、パーク保留を実行する操作が行われた操作元を特定する情報である保留操作元特定情報が格納される。保留回線欄には、操作された当該パーク保留ボタンに対して保留状態とされた通話回線を特定する情報である保留回線特定情報が格納される。
【００７４】
図５に示した例の場合には、次の２つのパーク保留情報が保持されている場合を示している。１番目のパーク保留情報は、パーク保留ボタンの「１」番に、システム３のボタン電話システムの内線番号が「３００１」番の電話機をパーク保留元とし、システム２のボタン電話システムの内線番号が「２００２」番の電話機との間で接続中の通話回線を保留状態にしていることを示すものである。すなわち、パーク保留ボタンの「１」番に、システム３のボタン電話システムの内線番号が「３００１」番の電話機とシステム２のボタン電話システムの内線番号が「２００２」番の電話機との間の内線通話回線が保留状態になっていることが管理されている。
【００７５】
２番目のパーク保留情報は、パーク保留ボタンの「２」番に、システム１のボタン電話システムの内線番号が「１０００」番の電話機をパーク保留元とし、システム１のボタン電話システムの外線１との間で接続中の通話回線を保留状態にしていることを示す情報である。すなわち、パーク保留ボタンの「２」番に、システム１のボタン電話システムの内線番号が「１０００」番の電話機が受けていた、システム１のボタン電話システムの外線１を通じて接続している外線通話回線が保留状態になっていることが管理されている。
【００７６】
このように、広域の電話システムを構成するボタン電話システムのそれぞれの主装置１のパーク保留メモリ１４０によってパーク保留情報を共通に管理できるようにしている。そして、パーク保留機能実行部１５０は、図２に示したように、第１の設定部１５１、応答処理部１５２、保留状態処理部１５３、第２の設定部１５４、設定解除部１５５を備えている。
【００７７】
第１の設定部１５１は、ＩＰ網２００Ａを通じて送信されてくる他の電話制御装置からのパーク保留設定要求を接続端子１０１及びＩＰ網Ｉ／Ｆ１０２を通じて制御部１２０が受信した場合に、制御部１２０の制御に応じて動作する。他の電話制御装置からのパーク保留設定要求には、パーク保留ボタン特定情報、保留操作元特定情報、保留回線特定情報が含まれている。このため、第１の設定部１５１は、制御部１２０が受信したパーク保留設定要求の提供を受けて、これに含まれるパーク保留ボタン特定情報、保留操作元特定情報、保留回線特定情報を抽出し、これらをパーク保留メモリ１４０の該当欄に設定する処理を行う。
【００７８】
また、第１の設定部１５１は、自機に収容された電話機のそれぞれについて、受信したパーク保留設定要求のパーク保留ボタン特定情報によって特定されるパーク保留ボタンに対し、通話回線が保留状態に設定されたことを示す表示を行うように制御する。主装置１に収容される電話機２には、複数のパーク保留ボタンが設けられており、各パーク保留ボタンには、対応して表示手段としての例えばＬＥＤ（Light Emitting Diode）が設けられている。
【００７９】
そこで、第１の設定部１５１は、受信したパーク保留設定要求のパーク保留ボタン特定情報によって特定されるパーク保留ボタンに対応するＬＥＤを点滅させるようにする表示制御信号を形成する。そして、第１の設定部１５１は、当該表示制御信号を制御部１２０、ＬＡＮＩ／Ｆ１０９及び接続端子１１０を通じてＬＡＮに送出し、配下の電話機２のそれぞれに提供して、目的とするパーク保留ボタンに対応するＬＥＤを点滅させるようにする。これによって、主装置１の配下の電話機２のそれぞれにおいて、他の主装置１の配下の電話機２においてパーク保留ボタンが操作された場合に、どのパーク保留ボタンに通話回線が保留状態となるように設定されたかを知ることができるようにされる。
【００８０】
応答処理部１５２は、自機の配下の電話機２において、パーク保留に応答するために、通話回線が保留状態となるように設定されたパーク保留ボタンが操作された場合に、応答元の電話機２と、保留状態とされている通話回線を接続する処理を行う。具体的には、通話回線が保留状態となるように設定されたパーク保留ボタンが操作されると、当該電話機２からは、操作されたパーク保留ボタンを特定するパーク保留ボタン特定情報を含む主装置１宛てのパーク保留応答通知が形成される。このパーク保留応答通知は、ＬＡＮを通じて主装置１に送信されるので、主装置１は、接続端子１１０及びＬＡＮＩ／Ｆ１０９を通じてこれを受信し、受信したパーク保留応答通知に基づいて、応答処理部１５２が、応答元の電話機２と、保留状態とされている通話回線を接続する処理を行う。
【００８１】
保留状態処理部１５３は、自機の配下の通話中の電話機２において、通話回線が保留状態に設定されていないパーク保留ボタンが操作された場合に、パーク保留元の電話機２との間で接続されている通話回線を保留状態にする処理を行う。自機の配下の通話中の電話機２において、通話回線が保留状態に設定されていないパーク保留ボタンが操作されると、当該電話機２からは、操作されたパーク保留ボタンを特定するパーク保留ボタン特定情報を含むパーク保留実行通知を形成して、ＬＡＮを通じて送信してくる。
【００８２】
主装置１の制御部１２０は、当該パーク保留実行通知を接続端子１１０及びＬＡＮＩ／Ｆ１０９を通じて受信した場合に、保留状態処理部１５３を制御し、パーク保留元の電話機２との間で接続されている通話回線を保留状態にする。この場合、保留状態処理部１５３は、接続中の通話回線の接続状態を維持したまま、パーク保留要求元の電話機２の接続を解除し、当該通話回線の相手先には保留音を提供するように制御する。さらに、保留状態処理部１５３は、パーク保留ボタン特定情報、保留操作元特定情報、保留回線特定情報を含むパーク保留設定要求を形成し、これをＩＰ網Ｉ／Ｆ１０２及び接続端子１０１を通じてＩＰ網２００Ａに送出して、この実施形態の電話システムの各主装置１に提供する処理を行う。
【００８３】
第２の設定部１５４は、ＬＡＮを通じて送信されてくる配下の電話機２からのパーク保留実行通知を接続端子１１０及びＬＡＮＩ／Ｆ１０９を通じて制御部１２０が受信した場合に、制御部１２０の制御に応じて動作する。まず、第２の設定部１５４は、パーク保留ボタン特定情報、保留操作元特定情報、保留回線特定情報を特定し、これらをパーク保留メモリ１４０の該当欄に設定する処理を行う。
【００８４】
ここで、パーク保留ボタン特定情報は、配下の電話機２からのパーク保留実行通知に含まれているものである。また、パーク保留実行通知の送信元の電話機２は自機の配下のものであるため、主装置１の制御部１２０は、その通知元の電話機を特定できるため、保留操作元特定情報を特定できる。同様に、主装置１の制御部１２０は、パーク保留実行通知の送信元の電話機２は自機の配下のものであるため、その通知元の電話機がどこと通信回線を接続しているのかを管理しており、保留回線特定情報を特定できる。
【００８５】
また、第２の設定部１５４は、自機に収容された電話機のそれぞれについて、受信したパーク保留実行通知のパーク保留ボタン特定情報によって特定されるパーク保留ボタンに対し、通話回線が保留状態に設定されたことを示す表示を行うように制御する。すなわち、第２の設定部１５４は、受信したパーク保留実行要求のパーク保留ボタン特定情報によって特定されるパーク保留ボタンに対応するＬＥＤを点滅させるようにする表示制御信号を形成する。そして、第２の設定部１５４は、当該表示制御信号を制御部１２０、ＬＡＮＩ／Ｆ１０９及び接続端子１１０を通じてＬＡＮに送出し、配下の電話機２のそれぞれに提供して、目的とするパーク保留ボタンに対応するＬＥＤを点滅させるようにする。これによって、主装置１の配下の電話機２のそれぞれにおいて、他の主装置１の配下の電話機２においてパーク保留ボタンが操作された場合に、どのパーク保留ボタンに通話回線が保留状態となるように設定されたかを知ることができるようにされる。
【００８６】
設定解除部１５５は、他の主装置１の配下の電話機２において、パーク保留に応答する操作が行われたり、あるいは、自機の配下の電話機２において、パーク保留に応答する操作が行われたりした場合に、当該パーク保留機能を解除する処理を行う。具体的には、通話回線が保留状態となるように設定されたパーク保留ボタンが操作されることにより、パーク保留が解除された場合に、対応するパーク保留情報をパーク保留メモリ１４０から削除する処理を行う。また、設定解除部１５５は、通話回線が保留状態となるように設定されたパーク保留ボタンが操作されることにより、パーク保留が解除された場合に、当該パーク保留ボタンに対応するＬＥＤの点滅動作を終了するように制御する。当該ＬＥＤの点滅動作の終了制御は、終了制御信号を形成し、これをＬＡＮＩ／Ｆ１０９及び接続端子１１０を通じてＬＡＮに送出し、配下の電話機２に提供することにより行う。
【００８７】
このように、パーク保留機能実行部１５０の各部が機能して、パーク保留機能を実行し、パーク保留ボタンに対して通話回線を保留状態にして設定したり、パーク保留に応答した電話機２と保留された通話回線とを接続したりする処理を行うことができるようにしている。
【００８８】
［電話機２の構成例］
次に、各ボタン電話システムの主装置１に対してＬＡＮ接続される電話機２の構成例について説明する。図６は、電話機２の構成例を説明するためのブロック図であり、図７は、電話機２の外観図である。この例の電話機２は、図６に示すように、主に電話機能を実現する部分として、ＬＡＮ接続端子２０１、ＬＡＮインターフェース（以下、ＬＡＮＩ／Ｆという。）２０２、パケット処理部２０３、通話音声入出力インターフェース（以下、通話音声入出力Ｉ／Ｆという。）２０４、ハンドセット接続端子２０５、ハンドセット２０６、操作入力部２１１、操作入力インターフェース（以下、操作入力Ｉ／Ｆという。）２１２、ディスプレイコントローラ２１３、ディスプレイ２１４、リンガ２１５を備えている。
【００８９】
また、この実施の形態の電話機２は、各部を制御する制御部２２０を備えている。制御部２２０は、ＣＰＵ２２１、ＲＯＭ２２２、ＲＡＭ２２３が、ＣＰＵバス２２４を通じて接続されて構成されたマイクロプロセッサである。そして、図７に示すように、この実施の形態の電話機２の場合、端末本体の前面左側にハンドセット２０６が載置される構成を有する。そして、ハンドセット２０６が、端末本体に載置された状態ではオンフック状態となり、端末本体から持ち上げられた状態ではオフフック状態となるように構成されている。また、端末本体の前面上側には、ディスプレイ２１４の表示画面が設けられ、ディスプレイ２１４の表示画面の下側には操作入力部２１１が設けられている。
【００９０】
そして、操作入力部２１１には、この実施形態においては、４つのパーク保留ボタンＰＫ１〜ＰＫ４が設けられている。パーク保留ボタンＰＫ１〜ＰＫ４のそれぞれの例えば中央部分には、上述もしたように、ＬＥＤが設けられており、制御部２２０の制御に応じて、点滅させたり、点滅を終了させたりすることができるようになっている。また、操作入力部２１１には、ユーザによって機能等の割り付けが可能なフレキシブルキーＦＫ１〜ＦＫ４や、テンキー等（テンキー（数字キー及び記号キー）、発信、応答などの所定のファンクションキーなど）が設けられている。なお、フレキシブルキーＦＫ１〜ＦＫ４のそれぞれにも、ＬＥＤが設けられている。
【００９１】
［着信時の動作］
そして、ＬＡＮを介して送信されてくるパケットデータは、ＬＡＮ接続端子２０１を通じてＬＡＮＩ／Ｆ２０２に供給され、ここで自機において処理可能な形式のデータに変換された後、ＣＰＵバス２２４を介して、パケット処理部２０３に供給される。パケット処理部２０３は、供給されたパケットデータに含まれる制御データや音声データを分解して抽出する。ここで抽出された制御データは制御部２２０に供給され、自機の制御に用いられる。また、自機（自端末）宛の音声データが含まれていた場合には、当該音声データは、ＣＰＵバス２２４を通じて通話音声入出力Ｉ／Ｆ２０４に供給されることになる。
【００９２】
パケット処理部２０３において分解されて抽出された制御データが、自機への呼び出しメッセージである場合には、制御部２２０は、リンガ２１５を制御して、着信鳴動させる。同時に、制御部２２０は、ディスプレイコントローラ２１３を制御し、ディスプレイ２１４の表示画面に自機に着信があることを通知するメッセージや発信元の電話番号や名前あるいは発信元の内線番号などを表示する。
【００９３】
そして、自機への着信に応じて、ユーザがハンドセット２０６を電話機２の本体から持ち上げると、当該電話機２はオフフック状態となる。この場合、制御部２２０は、着信に応答するメッセージを形成し、これをパケット処理部２０３においてパケット化して、ＬＡＮＩ／Ｆ２０２に供給する。ＬＡＮＩ／Ｆ２０２は、当該パケットデータを送信用のパケットデータに変換し、これをＬＡＮ接続端子２０１を通じてＬＡＮに送出し、発呼先の端末に送信する。
【００９４】
これにより発信元との間において、通信路が生成され、通話が開始される。この場合、相手先からの音声データを含むパケットは、上述もしたように、ＬＡＮ接続端子２０１、ＬＡＮＩ／Ｆ２０２を通じて、パケット処理部２０３に供給される。パケット処理部２０３は、相手先からのパケットをパケット分解し、制御データは制御部２２０へ、音声データは通話音声入出力Ｉ／Ｆ２０４に供給する。
【００９５】
通話音声入出力Ｉ／Ｆ２０４は、パケット処理部２０３からの音声データから自機のハンドセット２０６のスピーカ（受話器）に供給するアナログ音声信号を形成し、これをハンドセット接続端子２０５を通じてハンドセット２０６のスピーカに供給する。これにより、相手先から送信されてくる相手先の音声が、ハンドセット２０６のスピーカ（受話器）から放音される。
【００９６】
一方、ハンドセット２０６のマイクロホン（送話器）によって集音された音声は、ここで電気信号に変換され、ハンドセット接続端子２０５を通じて通話音声入出力Ｉ／Ｆ２０４に供給される。通話音声入出力Ｉ／Ｆ２０４は、ハンドセット２０６からの音声データをデジタル信号に変換するなどの処理を行って、これをパケット処理部２０３に供給する。パケット処理部２０３は、通話音声入出力Ｉ／Ｆ２０４からの音声データを含む相手先への送信用のパケットを形成し、これをＬＡＮＩ／Ｆ２０２、ＬＡＮ接続端子２０１を通じてＬＡＮに送出し、通信の相手先に送信する。このようにして、電話機２は、自機への着信に応答し、発呼先との間で通信路を生成して通話を行うことができる。
【００９７】
［発呼時の動作］
次に、当該電話機２から電話をかける場合（発信（発呼）する場合）の処理について説明する。電話機２から発信する場合には、まず、ハンドセット２０６を電話機２の本体から持ち上げて、電話機２をオフフック状態にし、操作入力部２１１を通じて通信の相手先の電話番号、あるいは、内線番号を入力する。ここで入力された情報は、操作入力Ｉ／Ｆ２１２を通じて制御部２２０に供給される。
【００９８】
すると、制御部２２０は、発呼メッセージを形成し、これをパケット処理部２０３に供給する。パケット処理部２０３は、自機からの発呼メッセージをパケット化し、これをＬＡＮＩ／Ｆ２０２、ＬＡＮ接続端子２０１を通じてＬＡＮに送出し、目的とする通信の相手先に送信する。
【００９９】
この後、目的とする相手先からの応答が返信されてきた場合に通信路を生成する。これにより、ＬＡＮ接続端子２０１、ＬＡＮＩ／Ｆ２０２、パケット処理部２０３、通話音声入出力Ｉ／Ｆ２０４、ハンドセット接続端子２０５、ハンドセット２０６からなる通話系の機能により通話を行うことができる。このように、電話機２は、自機から目的とする端末に発信して、相手先との間に通信回線を接続して通話を行うこともできる。
【０１００】
[ボタン電話システム間の通信路の接続動作（接続処理）]
次に、上述した主装置１及び電話機２が用いられて構成されるボタン電話システム間の通信路の基本的な接続動作について説明する。ここでは、支社１（東北）に設置したスレーブ主装置１Ｂから本社（東京）に設置されているマスター主装置１Ａに接続を要求する場合を例にして説明する。図８は、マスター主装置１Ａとスレーブ主装置１Ｂとの間にＩＰ網２００Ａを通じて通信路を接続する場合の動作を説明するためのシーケンス図である。
【０１０１】
主装置１Ａの外部Ｉ／Ｆ１１１及び外部端子１１２を通じて接続されるＰＣにおいては、予め決められるシステム情報が事前に作成されている（ステップＳ１）。ここで、システム情報は、広域に形成される電話システムで用いられるグループＩＤ、パスワードなどの共通データ、各ボタン電話システムに割り当てられるシステム番号やシステム名称や優先順位などのアドレスデータ、各ボタン電話システムに割り当てる番号計画データなどである。
【０１０２】
主装置１Ａが本社に設置されると、当該ＰＣは、作成したシステム情報を主装置１Ａに転送する（ステップＳ２）。主装置１Ａの登録処理部１３１の第１の登録部１３１Ａは、共通データやアドレスデータはアドレスデータ記憶部１０６の該当エリアに登録し、番号計画データは番号計画データ記憶部１０７の該当エリアに登録する（ステップＳ３）。すなわち、ステップＳ３では、予め決められるシステム情報である共通データ、アドレスデータ、番号計画データを、システム情報記憶部に更新する更新処理が行われる。
【０１０３】
そして、上述したステップＳ１〜ステップＳ３の処理を通じて、主装置１Ａのアドレスデータ記憶部１０６には、グループＩＤ及びパスワードと、電話システムを構成することになる主装置のそれぞれごとに割り当てられるシステム番号、システム名称、優先順位とが登録される。また、上述したステップＳ１〜ステップＳ３の処理を通じて、主装置１Ａの番号計画データ記憶部１０７には、電話システムを構成する各ボタン電話システムに割り当てられる番号計画データが登録される。
【０１０４】
この実施の形態においては、図３に示したように、アドレスデータ記憶部１０６には、グループＩＤとして「ＧＰ００１」が、パスワードとして「ＰＷａｂｃ…」が登録される。また、図３に示した例では、システム番号が「００１」、「００２」、「００３」、システム名称が「システム１」、「システム２」、「システム３」、優先順位が「第１位」、「第２位」、「第３位」までのデータが登録される。また、図４に示したように、番号計画データ記憶部１０７には、システム番号が「００１」、「００２」、「００３」のボタン電話システムに対する番号計画データが格納される。
【０１０５】
そして、主装置１Ａが、物理的にＩＰ網２００Ａや電話網２００Ｂに対して接続されると、主装置１Ａは、制御部１２０の制御によりＩＰ網Ｉ／Ｆ１０２が機能し、電話会社側のＩＳＰサーバにアクセスする。そして、主装置１Ａは、ＩＳＰサーバよりＩＰアドレスの割り当てを受け、これを制御部１２０の制御の下、登録処理部１３１の第１の登録部１３１Ａが機能しアドレスデータ記憶部１０６に登録する（ステップＳ４）。なお、この例において、主装置１Ａに割り当てられたＩＰアドレスは、「ＸＸＸ．ＸＸＸ．ＸＸＸ．ＸＸＸ」であるものとする。
【０１０６】
そして、ステップＳ１〜ステップＳ４の処理を通じて、主装置１Ａにおいては、自機についてのアドレスデータがアドレスデータ記憶部１０６に記録される。すなわち、主装置１Ａでは、図３に示したように、主装置１Ａに割り当てられたＩＰアドレスが「ＸＸＸ．ＸＸＸ．ＸＸＸ．ＸＸＸ」で、主装置１Ａのシステム番号が「００１」で、システム名称が「システム１」で、優先順位が「第１位」となる情報が登録される。
【０１０７】
そして、主装置１Ａのアドレスデータの内、優先順位が「第１位」であるので、当該主装置１Ａがマスター主装置として選択されたことになる。また、システム番号が「００１」であるので、マスター主装置１Ａを広域ネットワーク２００への接続端とするボタン電話システムの電話機２Ａ（１）、２Ａ（２）、…のそれぞれには、１０００番台の内線番号が割り当てられる。
【０１０８】
一方、支社１に設置された主装置１Ｂが、物理的にＩＰ網２００Ａや電話網２００Ｂに対して接続されると、主装置１Ｂは、制御部１２０の制御によりＩＰ網Ｉ／Ｆ１０２が機能し、電話会社側のＩＳＰサーバにアクセスする。そして、主装置１Ｂは、ＩＳＰサーバよりＩＰアドレスの割り当てを受け、これを制御部１２０の制御の下、登録処理部１３１の第３の登録部１３１Ｃが機能しアドレスデータ記憶部１０６に登録する（ステップＳ５）。なお、この例において、主装置１Ｂに割り当てられたＩＰアドレスは、「ＹＹＹ．ＹＹＹ．ＹＹＹ．ＹＹ１」であるものとする。
【０１０９】
このステップＳ５の処理では、主装置１Ｂのアドレスデータ記憶部１０６には、まだ自機のＩＰアドレスである例えば「ＹＹＹ．ＹＹＹ．ＹＹＹ．ＹＹ１」しか登録されていない状態である。したがって、マスター主装置であれば設定されているはずの優先順位が設定されていないので、主装置１Ｂはスレーブ主装置として機能することになる。
【０１１０】
そして、支社１に設置された主装置１Ｂに対しては、外部Ｉ／Ｆ１１１及び外部端子１１２を通じて接続されたＰＣを通じて、マスター主装置１ＡのＩＰアドレスと、パスワードとが供給され、これを制御部１２０が、マスター情報メモリ１０８に記録する（ステップＳ６）。これにより、主装置１Ｂのマスター情報メモリ１０８には、マスター主装置１ＡのＩＰアドレスである「ＸＸＸ．ＸＸＸ．ＸＸＸ．ＸＸＸ」と、パスワードである「ＰＷａｂｃ１２…」が登録される。このように、図８において、ステップＳ１〜ステップＳ６の処理が、マスター主装置１Ａとスレーブ主装置１Ｂとの間にＩＰ網２００Ａを通じて通信路を接続するための準備処理となる。
【０１１１】
そして、スレーブ主装置１Ｂにおいては、制御部１２０が、マスター情報メモリ１０８のマスター主装置１ＡのＩＰアドレスとパスワードとを用いると共に、ＩＰ網Ｉ／Ｆ１０２を制御して、マスター主装置１Ａにアクセスして接続要求を送信する（ステップＳ７）。このステップＳ７の処理が、スレーブ主装置１Ｂをネットワーク２００への接続端とするボタン電話システムを、広域に形成される電話システムに登録のために、スレーブ主装置１Ｂがマスター主装置１Ａにログインする処理となる。
【０１１２】
マスター主装置１Ａでは、スレーブ主装置１Ｂからの接続要求を受け付けると、まず、スレーブ主装置１Ｂが自機に接続可能な機器かの認証を取り、認証が取れたらスレーブ主装置１Ｂを、広域の電話システムに登録する処理を行う（ステップＳ８）。すなわち、ステップＳ８においては、まず、マスター主装置１Ａの制御部１２０が、当該接続要求に含まれるパスワードと、アドレスデータ記憶部１０６に記憶されているパスワードとが同じか否かを確認し、同じであればスレーブ主装置１Ｂを認証する。なお、同じでなければ、接続拒否をスレーブ主装置１Ｂに通知し、以降の処理は行われない。
【０１１３】
スレーブ主装置１Ｂを認証すると、マスター主装置１Ａの制御部１２０は、登録処理部１３１の第２の登録部１３１Ｂを制御し、当該接続要求に含まれるスレーブ主装置１ＢのＩＰアドレスを、アドレスデータ記憶部１０６に登録する。この場合、第２の登録部１３１Ｂは、アドレスデータ記憶部１０６の１番目から順番に探して、ＩＰアドレスが登録されていないアドレスデータのＩＰアドレス欄に、スレーブ主装置１ＢからのＩＰアドレスを登録する。
【０１１４】
ステップＳ８の認証・登録の処理を通じて、この例の場合には、図３に示すように、アドレスデータ記憶部１０６の２番目のデータのＩＰアドレス欄に、スレーブ主装置１ＢのＩＰアドレス「ＹＹＹ．ＹＹＹ．ＹＹＹ．ＹＹ１」が登録（更新）される。これにより、スレーブ主装置１Ｂには、システム番号「００２」、システム名称「システム２」、優先順位「第２位」が割り当てられることになる。
【０１１５】
次に、マスター主装置１Ａは、接続要求元のスレーブ主装置１Ｂに対して、システム情報を配布する（ステップＳ９）。この場合、マスター主装置１Ａの制御部１２０は、配布処理部１３２の第１の配布部１３２Ａを制御して、接続要求元のスレーブ主装置１Ｂにシステム情報を配布する。ここで配布されるシステム情報は、グループＩＤとパスワードからなる共通データと、所定のアドレスデータと、所定の番号計画データある。
【０１１６】
ステップＳ９で配布されるアドレスデータは、アドレスデータ記憶部１０６に記憶されている、スレーブ主装置１Ｂについてのシステム番号、システム名称、優先順位と、マスター主装置１ＡのＩＰアドレス、システム番号、システム名称、優先順位である。また、ステップＳ９で配布される番号計画データは、番号計画データ記憶部１０７に記憶されているシステム番号が「００１」の番号計画データとシステム番号が「００２」の番号計画データである。システム番号が「００１」の番号計画データは、マスター主装置１Ａについてのものとなり、システム番号が「００２」の番号計画データは、スレーブ主装置１Ｂについてのものとなる。
【０１１７】
そして、スレーブ主装置１Ｂにおいては、制御部１２０が登録処理部の第４の登録部１３１Ｄを制御し、ステップＳ９において提供されたシステム情報をシステム情報記憶部に記録する（ステップＳ１０）。すなわち、ステップＳ１０において、登録部１３１Ｄは、マスター主装置１Ａからの共通データやアドレスデータはアドレスデータ記憶部１０６に、マスター主装置１Ａからの番号計画データは番号計画データ記憶部１０７に登録する。
【０１１８】
このように、ステップＳ７〜ステップＳ１０までの処理が、スレーブ主装置１Ｂからマスター主装置１Ａへのログイン処理となり、この一連の処理により、マスター主装置１Ａとスレーブ主装置１Ｂとの間にＩＰ網２００Ａを通じて相互に通信路が接続される。これにより、マスター主装置１ＡにＬＡＮ接続された電話機２Ａ（１）、２Ａ（２）、…と、スレーブ主装置１ＢにＬＡＮ接続された電話機２Ｂ（１）、２Ｂ（２）、…との間で、内線番号を用いた内線通話ができるようになる。
【０１１９】
そして、マスター主装置１Ａは、スレーブ主装置１Ｂのログインを契機として、ＩＰ網２００Ａを通じて相互に通信路を接続している主装置やその接続状態（ヘルスチャックの結果）などを、当該相互に通信路を接続している主装置に通知する（ステップＳ１１）。この例の場合には、ＩＰ網２００Ａを通じて相互に通信路を接続している主装置は、マスター主装置１Ａとスレーブ主装置１Ｂだけであるので、接続状態等はマスター主装置１Ａからスレーブ主装置１Ｂに通知される。
【０１２０】
これにより、スレーブ主装置１Ｂは、自ボタン電話システムも属する広域に形成される電話システムの現在の接続状況等を把握できる。したがって、接続されていないボタン電話システムに内線電話を掛けるといった間違った操作を使用者が行うこともなく、接続状態に応じて通信が可能な状態にあるか否かも把握できる。
【０１２１】
なお、図８を用いて説明した例の場合には、番号計画データは初めからマスター主装置１Ａから提供するものとして説明した。しかし、番号計画データは、スレーブ主装置が初めから持たない場合もあれば、スレーブ主装置が独自の番号計画データを持っている場合もある。また、図８を用いて説明した例の場合には、マスター主装置１Ａに対してＩＰ網２００Ａを通じて既に通信路が接続され他スレーブ主装置が存在していなかった。このため、マスター主装置１Ａの配布処理部１３２の第２の配布部１３２Ｂは用いられなかった。
【０１２２】
しかし、マスター主装置１Ａに対してＩＰ網２００Ａを通じて既に通信路が接続され他スレーブ主装置が存在する場合には、マスター主装置１Ａの配布処理部１３２の第２の配布部１３２Ｂが機能して、既存のスレーブ主装置のシステム情報を接続要求元のスレーブ主装置に提供するなどの処理を行われる。
【０１２３】
[内線電話処理]
次に、上述した広域ネットワークを通じて接続されることにより構成されるこの実施の形態の電話システムにおいて、１のボタン電話システムの電話機から他のボタン電話システムの電話機に内線電話を掛ける場合の動作（処理）について説明する。図９は、マスター主装置１ＡにＬＡＮ接続された電話機２Ａ（１）からスレーブ主装置１ＢにＬＡＮ接続された電話機２Ｂ（１）に内線電話を掛ける場の動作（処理）について説明するためのシーケンス図である。
【０１２４】
マスター主装置１Ａのアドレスデータ記憶部１０６には、図３に示したように、この実施形態の電話システムを構成する各主装置の共通データ（グループＩＤ、パスワード）とアドレスデータ（ＩＰアドレス、システム番号、システム名称、優先順位）が登録されている。また、マスター主装置１Ａの番号計画データ記憶部１０７には、図４に示したように、この実施形態の電話システムを構成する各主装置の番号計画データが登録されている。
【０１２５】
また、スレーブ主装置１Ｂ、１Ｃのアドレスデータ記憶部１０６にも、マスター主装置１Ａのアドレスデータ記憶部１０６に記憶されている共通データとアドレスデータとが登録されている。ただし、アドレスデータの登録順は最上位に自機のアドレスデータが位置するようになっている。また、スレーブ主装置１Ｂ、１Ｃの番号計画データ記憶部１０７にも、マスター主装置１Ａの番号計画データ記憶部１０７と同一の番号計画データが登録されている。
【０１２６】
この場合に、マスター主装置１ＡにＬＡＮ接続されている内線番号が１０００番の電話機２Ａ（１）において「２０００番」がダイヤルされ、内線番号が２０００番の電話機に対して内線電話が掛けられたとする。この場合、発呼元の電話機２Ａ（１）は、内線２０００番への発呼メッセージを形成し、ＬＡＮを通じて自ボタン電話システムの主装置１Ａに送信する（ステップＳ２１）。発呼メッセージを受信した主装置１Ａは、内線番号２０００番はどのボタン電話システムの電話機かを特定する（ステップＳ２２）。
【０１２７】
ステップＳ２２において、主装置１Ａの制御部１２０は、番号計画データ記憶部１０７の各番号計画データを参照し、内線２０００番の電話機が接続されたボタン電話システムのシステム番号を特定する。そして、発呼元の主装置１Ａは、発呼元をシステム番号「００１」の内線番号が１０００番の電話機とし、着信先をシステム番号「００２」の内線番号が２０００番の電話機とする発呼要求を形成し、ＩＰ網２００Ａを通じて接続されている通信路を通じて主装置１Ｂに送信する（ステップＳ２３）。
【０１２８】
着信先の主装置１Ｂの制御部１２０は、主装置１Ｂからの発呼要求を受信すると、内線番号が２０００番の電話機を呼び出す呼び出しメッセージを形成し、ＬＡＮを通じて内線番号が２０００番の電話機に送信する（ステップＳ２４）。当該呼び出しメッセージを受信した内線番号が２０００番の電話機２Ｂ（１）においては、当該呼び出しメッセージに応じて、内線番号が１０００番からの着信が発生したことを表示部に表示すると共に、着信音を鳴動させる（ステップＳ２５）。
【０１２９】
この後、内線番号が２０００番の電話機２Ｂ（１）において、応答操作（オフフック操作）が行われると、電話機２Ｂ（１）は内線番号が１０００番の電話機に対する応答通知メッセージを形成し、ＬＡＮを通じて主装置１Ｂに送信する（ステップＳ２６）。主装置１Ｂの制御部１２０は、当該応答通知メッセージを、ＩＰ網２００Ａを通じて接続されている通信路を通じて主装置１Ａに送信する（ステップＳ２７）。
【０１３０】
主装置１Ａは、主装置１Ｂからの応答通知メッセージを、ＬＡＮを通じて発呼元の電話機２Ａ（１）に通知する（ステップＳ２８）。これにより、発呼元の電話機２Ａ（１）と着信先の電話機２Ｂ（１）との間に、ＬＡＮ及びＩＰ網２００Ａを通じて通話回線が接続され、通話を行うことができるようにされる（ステップＳ２９）。
【０１３１】
この後、例えば、内線番号が１０００番の電話機２Ａ（１）において、通話の終了操作（オンフック操作）が行われると、電話機２Ａ（１）は内線番号が２０００番の電話機に対する切断通知メッセージを形成し、ＬＡＮを通じて主装置１Ａに送信する（ステップＳ３０）。主装置１Ａの制御部１２０は、当該切断通知メッセージを、ＩＰ網２００Ａを通じて通信路が接続されている主装置１Ｂに送信する（ステップＳ３１）。
【０１３２】
主装置１Ｂは、主装置１Ａからの切断通知メッセージを、ＬＡＮを通じて着信先の電話機２Ｂ（１）に通知する（ステップＳ３２）。この後、主装置１Ｂは、通話回線の解放通知メッセージを形成して、これを主装置１Ａに送信する（ステップＳ３３）。主装置１Ａは、当該解放通知メッセージを、ＬＡＮを通じて発呼元の電話機２Ａ（２）に送信する（ステップＳ３４）。これにより、発呼元の電話機２Ａ（１）と着信先の電話機２Ｂ（１）との間に接続された通話回線が解放される。
【０１３３】
このように、この実施の形態の電話システムでは、閉番号方式の番号計画がマスター主装置１Ａによって適切に各スレーブ主装置に配布される。他のボタン電話システムの電話機へも内線番号を入力するだけで内線電話を掛けることができる。
【０１３４】
［パーク保留機能の利用］
次に、上述したように、広域ネットワーク２００を通じて接続されることにより構成された電話システムにおいて、ボタン電話システム間においても利用可能なパーク保留機能の具体的な実施の形態について説明する。なお、以下においては、説明を簡単にするため、４つのボタン電話システムが、広域ネットワークを通じて接続されて構成される電話システムで、パーク保留機能を用いる場合を例にして説明する。
【０１３５】
図１０は、以下に説明する実施の形態の電話システムの構成例を説明するための図である。図１０に示すように、以下に説明する電話システムは、東京の本社と、東北の支社１と、関西の支社２と、九州の支社３のそれぞれに構成されたボタン電話システムが、広域ネットワーク２００を通じて接続されて構成されたものである。
【０１３６】
本社に構成されたボタン電話システムは、主装置１Ａに対して電話機２Ａ（１）、２Ａ（２）、…がＬＡＮ接続されて構成されたものである。また、支社１に構成されたボタン電話システムは、主装置１Ｂに対して電話機２Ｂ（１）、２Ｂ（２）、…がＬＡＮ接続されて構成されたものである。また、支社２に構成されたボタン電話システムは、主装置１Ｃに対して電話機２Ｃ（１）、２Ｃ（２）、…がＬＡＮ接続されて構成されたものである。また、支社３に構成されたボタン電話システムは、主装置１Ｄに対して電話機２Ｄ（１）、２Ｄ（２）、…がＬＡＮ接続されて構成されたものである。
【０１３７】
主装置１Ａ、１Ｂ、１Ｃ、１Ｄのそれぞれは、図２〜図５を用いて説明した構成を有するものである。また、電話機２Ａ（１）、２Ａ（２）、…、２Ｂ（１）、２Ｂ（２）、…、２Ｃ（１）、２Ｃ（２）、…、２Ｄ（１）、２Ｄ（２）、…のそれぞれは、図６、図７を用いて説明した構成を有するものである。そして、本社に設置された主装置１をマスター主装置とし、それ以外の主装置１Ｂ、１Ｃ、１Ｄをスレーブ主装置として、図８を用いて説明した方式で、マスター主装置１Ａを中心にして、主装置相互がシステム情報の送受を行い、自機のシステム情報記憶部にシステム情報が設定されているものである。これにより、各主装置間は、図９を用いて説明したように、ＩＰ網２００Ａを通じて通信路が接続され、相互に内線通話を行うことができるようになっている。
【０１３８】
なお、図１０に示した電話システムの場合の各主装置のシステム情報は、以下のようになっているものとする。主装置１Ａのシステム情報は、ＩＰアドレスが「ＸＸＸ．ＸＸＸ．ＸＸＸ．ＸＸＸ」で、システム番号が「００１」、システム名称が「システム１」で、優先順位が「１番」で、内線番号は１０００番台を用い、パーク保留ボタンとしてＰＫ１〜ＰＫ４の４つの利用が可能にされているものとする。同様に、主装置１Ｂのシステム情報は、ＩＰアドレスが「ＹＹＹ．ＹＹＹ．ＹＹＹ．ＹＹ１」で、システム番号が「００２」、システム名称が「システム２」で、優先順位が「２番」で、内線番号は２０００番台を用い、パーク保留ボタンとしてＰＫ１〜ＰＫ４の４つの利用が可能にされているものとする。
【０１３９】
同様に、主装置１Ｃのシステム情報は、ＩＰアドレスが「ＹＹＹ．ＹＹＹ．ＹＹＹ．ＹＹ２」で、システム番号が「００３」、システム名称が「システム３」で、優先順位が「３番」で、内線番号は３０００番台を用い、パーク保留ボタンとしてＰＫ１〜ＰＫ４の４つの利用が可能にされているものとする。同様に、主装置１Ｄのシステム情報は、ＩＰアドレスが「ＹＹＹ．ＹＹＹ．ＹＹＹ．ＹＹ３」で、システム番号が「００４」、システム名称が「システム４」で、優先順位が「４番」で、内線番号は４０００番台を用い、パーク保留ボタンとしてＰＫ１〜ＰＫ４の４つの利用が可能にされているものとする。
【０１４０】
そして、主装置１Ａ、１Ｂ、１Ｃ、１Ｄのそれぞれのシステム情報記憶部には、上記の各主装置のシステム情報が、図８を用いて説明した処理がマスター主装置１Ａと、各スレーブ主装置１Ｂ、１Ｃ、１Ｄとの間で行われることにより設定されているものとする。
【０１４１】
［パーク保留機能を実現する場合の第１の実施の形態］
まず、パーク保留操作が行われた電話機を収容する主装置が、同じ電話システムの他の主装置を制御して、ボタン電話システム間のパーク保留機能をも実現する場合の例について、図１１、図１２を参照しながら説明する。図１１、図１２は、この第１の実施の形態のパーク保留機能の実行から終了までの処理を説明するためのシーケンス図である。
【０１４２】
この第１の実施の形態においては、図１１に示すように、主装置１Ｂの配下の電話機２Ｂと主装置１Ｃの配下の電話機２Ｃとの間で通話回線（通話パス）を接続し、内線通話を行っているとする（ステップＳ４１）。そして、主装置１Ｃの配下の電話機２Ｃにおいて、例えば、図７の外観図に示したように、電話機２Ｃに設けられているパーク保留ボタンＰＫ１が操作されることにより、パーク保留機能が実行するようにされたとする（ステップＳ４２）。
【０１４３】
この場合、パーク保留ボタンＰＫ１が操作された電話機２Ｃにおいては、制御部２２０が、パーク保留ボタンＰＫ１が操作されたことを示すパーク保留ボタン特定情報を含むパーク保留実行要求を形成し、自機が接続された主装置１Ｃに送信する。当該パーク保留実行要求は、電話機２ＣのＬＡＮＩ／Ｆ２０２及び接続端子２０１を通じてＬＡＮに送出され、主装置１Ｃに送信される。主装置１Ｃの制御部１２０は、接続端子１１０及びＬＡＮＩ／Ｆ１０９を通じて配下の電話機２ＣからＬＡＮを通じて送信されてくるパーク保留実行要求を受け付ける。パーク保留実行要求を受け付けた主装置１Ｃでは、第２の設定部１５４が制御部１２０の制御の下、受け付けたパーク保留実行要求のパーク保留ボタン特定情報により特定されるパーク保留ボタンを、通話回線を保留状態にして設定するために確保する。このような一連の処理がステップＳ４２において行われる。
【０１４４】
なお、ボタン電話システムの主装置１と電話機２との間では、上述したように、電話機２のＬＡＮＩ／Ｆ２０２及び接続端子２０１を通じて、また、主装置１のＬＡＮＩ／Ｆ１０９及び接続端子１１０を通じて、ＬＡＮを介したデータの送受が行われる。
【０１４５】
次に、主装置１Ｃでは、保留状態処理部１５３が制御部１２０の制御の下、パーク保留ボタン特定情報を含む他の主装置宛てのパーク保留実行要求を形成し、これを他の主装置１Ｃ、１Ａ、１Ｄに送信する（ステップＳ４３、Ｓ４４、Ｓ４５）。当該パーク保留実行要求に含まれるパーク保留ボタン特定情報は、パーク保留ボタンが操作された電話機２Ｃからのパーク保留実行要求に含まれていたものである。また、保留状態処理部１５３は、アドレスデータ記憶部１０６の格納データに基づいて、自機が属する電話システムの他の主装置のＩＰアドレスを特定し、これを用いて他の主装置のそれぞれ宛てのパーク保留実行要求を形成する。保留状態処理部１５３で形成された他の主装置宛てのパーク保留実行要求は、ＩＰ網Ｉ／Ｆ１０２及び接続端子１０１を通じてＩＰ網２００Ａに送出され、同じ電話システムを構成する他の主装置１Ａ、１Ｂ、１Ｄのそれぞれに送信される。
【０１４６】
送信されたパーク保留実行要求は、他の主装置１Ａ、１Ｂ、１Ｄの接続端子１０１及びＩＰ網Ｉ／Ｆ１０２を通じて受信され、制御部１２０に供給される。他の主装置１Ａ、１Ｂ、１Ｄのそれぞれでは、第１の設定部１５１が制御部１２０の制御の下、受信したパーク保留実行要求に含まれるパーク保留ボタン特定情報により特定されるパーク保留ボタンが使用可能であるか否か（空き状態であるか否か）を判別する。ここで、特定された当該パーク保留ボタンが使用可能であると判別したとする。この場合、第１の設定部１５１は、当該パーク保留ボタンの使用を確保し、パーク保留機能の実行可能を通知する「ＯＫメッセージ」を形成して、これをパーク保留実行要求の送信元である主装置１Ｃに返信する（ステップＳ４６、Ｓ４７、Ｓ４８）。当該「ＯＫメッセージ」は、ＩＰ網Ｉ／Ｆ１０２及び接続端子１０１を通じてＩＰ網２００Ａに送出され、主装置１Ｃに送信される。主装置１Ｃでは、接続端子１０１及びＩＰ網Ｉ／Ｆ１０２を通じて受信し、制御部１２０に供給される。
【０１４７】
なお、例えば、他の主装置１Ａ、１Ｂ、１Ｄのいずれかにおいて、主装置１Ｃからのパーク保留実行要求を受信する前に、当該パーク保留実行要求で通知されたパーク保留ボタン特定情報により特定されるパーク保留ボタンが操作されていたとする。この場合、当該パーク保留ボタンの使用を確保することはできないので、「ＮＧメッセージ」が形成され、主装置１Ｃに送信される。「ＮＧメッセージ」を受信した主装置１Ｃでは、パーク保留ボタンが操作された配下の電話機２Ｃに対して、警告オンや警告メッセージにより、操作されたパーク保留ボタンは使用できないため、他のパーク保留ボタンを操作し直すように促し、他のパーク保留ボタンの操作を待つようにすることになる。このようにして、パーク保留ボタンの操作の衝突を適切に回避できるようにしている。
【０１４８】
また、主装置１Ａ、１Ｂ、１Ｃ、１Ｄのそれぞれの間においては、上述したように、各主装置１Ａ、１Ｂ、１Ｃ、１ＤのＩＰ網Ｉ／Ｆ１０２及び接続端子１０１を通じて、ＩＰ網２００Ａを介したデータの送受が行われる。
【０１４９】
そして、図１１のステップＳ４６、Ｓ４７、Ｓ４８に示したように、他の主装置１Ａ、１Ｂ、１ＤのそれぞれからＩＰ網２００Ａを通じて「ＯＫメッセージ」が返信されてきたとする。この場合、主装置１Ｃの保留状態処理部１５３は、制御部１２０の制御の下、共通パーク保留移行通知を形成し、通話回線を接続している主装置１Ｂに対して送信する（ステップＳ４９）。これに応じて、主装置１Ｂは、「ＯＫメッセージ」を主装置１Ｃに返信する（ステップＳ５０）。
【０１５０】
この後、主装置１Ｃの保留状態処理部１５３は、制御部１２０の制御の下、主装置１Ｂとの間で接続している通話回線をそのままに、当該通話回線を通じて主装置１Ｂに対して保留音の送信を行う（ステップＳ５１）。これにより、主装置１Ｂには、主装置１Ｃからの保留音が供給され、主装置１Ｂを通じて主装置１Ｃの電話機２Ｃと当該通話回線を接続していた配下の電話機２Ｂに保留音が供給される。
【０１５１】
この後、主装置１Ｃの保留状態処理部１５３は、制御部１２０の制御の下、パーク保留への移行完了通知を形成し、これをＩＰ網２００Ａを通じて他の主装置１Ａ、１Ｂ、１Ｄに供給する（ステップＳ５２、Ｓ５３、Ｓ５４）。さらに、主装置１Ｃの保留状態処理部１５３は、制御部１２０の制御の下、パーク保留設定要求を形成し、これをＩＰ網２００Ａ  を通じて他の主装置１Ａ、１Ｂ、１Ｄに供給する（ステップＳ５５、Ｓ５６、Ｓ５７）。
【０１５２】
当該パーク保留設定要求は、パーク保留ボタン特定情報、保留操作元特定情報、保留回線特定情報を含むものである。パーク保留ボタン特定情報は、パーク保留操作が行われた主装置１Ｃの配下の電話機２Ｃから提供されたパーク保留実行要求に含まれていたパーク保留ボタン特定情報と同じであり、他の主装置１Ａ、１Ｂ、１Ｄのそれぞれにも通知済みのものである。
【０１５３】
また、保留操作元特定情報は、この例の場合には、パーク保留操作元が主装置１Ｃの配下の電話機２Ｃであることを示す情報である。パーク保留操作元が主装置１Ｃ配下の内線番号が「３００１」番の電話機２Ｃであれば、図５に示したように、主装置１Ｃのシステム番号（システム３）とパーク保留操作元の電話機２Ｃの内線番号（３００１）とからなる情報が保留操作元特定情報となる。
【０１５４】
また、保留回線特定情報は、この例の場合には、主装置１Ｂの配下の電話機２Ｂであることを示す情報である。保留される通話回線が主装置１Ｂ配下の内線番号が「２００２」番の電話機２Ｂと接続されているものであれば、図５に示したように、主装置１Ｂのシステム番号（システム２）と接続先の電話機２Ｂの内線番号（２００２）とからなる情報が保留回線特定情報となる。
【０１５５】
パーク保留設定要求を受信した主装置１Ａ、１Ｂ、１Ｄでは、制御部１２０の制御の下、第１の設定部１５１が機能し、パーク保留メモリ１４０への情報の設定と、パーク保留ボタンの対応ＬＥＤの点滅制御を行う（ステップＳ５８Ａ、５８Ｂ、５８Ｄ）。具体的に、主装置１Ａ、１Ｂ、１Ｄでは、第１の設定部１５１が受信したパーク保留設定要求からパーク保留ボタン特定情報、保留操作元特定情報、保留回線特定情報を抽出し、これらをパーク保留メモリ１４０に設定する。また、主装置１Ａ、１Ｂ、１Ｄの第１の設定部１５１は、使用を確保している当該パーク保留ボタンＰＫ１の対応ＬＥＤを点滅させるようにする制御信号を形成し、これを制御部１２０を通じてＬＡＮに送出し、自機の配下の電話機２Ａ、２Ｂ、２Ｄに供給する。
【０１５６】
また、主装置１Ｃでも、制御部１２０の制御の下、第２の設定部１５４が機能し、パーク保留メモリ１４０への情報の設定と、パーク保留ボタンの対応ＬＥＤの点滅制御を行う（ステップＳ５８Ｃ）。具体的に、主装置Ｃでは、第２の設定部１５４が、送信したパーク保留設定要求に含めたパーク保留ボタン特定情報、保留操作元特定情報、保留回線特定情報をパーク保留メモリ１４０に設定する。また、第２の設定部１５４は、使用を確保している当該パーク保留ボタンＰＫ１の対応ＬＥＤを点滅させるようにする制御信号を形成し、これを制御部１２０を通じて配下の電話機２Ｃに供給する。
【０１５７】
図１１に示した各ステップの処理により、主装置１Ｃの配下の電話機２Ｃのパーク保留ボタンに対する操作に応じて、当該電話システムを構成する各主装置１Ａ、１Ｂ、１Ｃ、１Ｄの配下の電話機２Ａ、２Ｂ、２Ｃ、２Ｄをパーク保留状態にできる。
【０１５８】
そして、図１２に示すように、パーク保留状態になり、主装置１Ｃと主装置１Ｂとの間に接続されている通話回線を通じて、主装置１Ｃから主装置１Ｂに保留音が提供されている状態にあるとする（ステップＳ６１）。この場合に、保留操作が行われた主装置１Ｃの電話機２Ｃの使用者は、別途の内線電話や、パーソナルコンピュータや携帯電話端末やタブレットＰＣ等の通信端末を用いたチャットやメールなどで、目的とする相手先にパーク保留への応答を要請する。この第１の実施の形態では、主装置１Ｃの電話機２Ｃの使用者が、主装置１Ｄの電話機２Ｄの使用者に、パーク保留ボタンＰＫ１に設定されたパーク保留への応答を要請したとする。
【０１５９】
当該パーク保留への応答要請に応じて、主装置１Ｄの電話機２Ｄの使用者が、対応するＬＥＤが点滅しているパーク保留ボタンＰＫ１を押下操作することにより、パーク保留応答操作を行ったとする（ステップＳ６２）。この場合、パーク保留ボタンＰＫ１が操作された電話機２Ｄにおいては、制御部２２０が、パーク保留ボタンＰＫ１が操作されたことを示すパーク保留ボタン特定情報を含むパーク保留応答要求を形成し、自機が接続された主装置１Ｄに送信する。
【０１６０】
主装置１Ｄの制御部１２０は、配下の電話機２Ｄからのパーク保留応答要求を受け付ける。主装置１Ｄでは、制御部１２０の制御の下、応答処理部１５２が受け付けたパーク保留応答要求のパーク保留ボタン特定情報により特定されるパーク保留ボタンに対応するパーク保留情報をパーク保留メモリ１４０から読み出す。応答処理部１５２は、読み出したパーク保留情報の保留回線特定情報に基づいて、保留状態にされている通信回線は、どの主装置のどの通信回線かを特定する。そして、応答処理部１５２は、当該保留状態にされている通信回線の相手先となる主装置に対するパーク保留応答要求を形成し、これを当該相手先となる主装置１Ｂに送信する。
【０１６１】
この例の場合、上述もしたように、主装置１Ｃの電話機２Ｃと主装置１Ｂの電話機２Ｂとの間の通話回線が、主装置１Ｃの電話機２Ｃのパーク保留操作によって保留状態にされている。このため、パーク保留メモリ１４０の保留回線特定情報により、パーク保留ボタンＰＫ１に保留状態にされて通話回線は、主装置１Ｂの電話機２Ｂとの間で接続している通話回線ということが特定できる。このため、主装置１Ｄは、主装置１Ｂに対してパーク保留ボタンＰＫ１に保留状態にしている通話回線に応答するためのパーク保留応答要求を形成し、これを主装置１Ｂに送信する（ステップＳ６３）。
【０１６２】
パーク保留応答要求を受信した主装置１Ｂにおいては、制御部１２０の制御の下、応答処理部１５２が当該パーク保留応答要求に応じて接続中の通話回線を主装置１Ｄの電話機２Ｄに引き継ぐための処理を行う。この場合、主装置１Ｂの応答処理部１５２は、主装置１Ｄに対する「ＯＫメッセージ」を形成し、これをＩＰ網２００Ａを通じてパーク保留応答要求元の主装置１Ｄに返信する（ステップＳ６４）。
【０１６３】
さらに、主装置１Ｂの応答処理部１５２は、パーク保留メモリ１４０のパーク保留ボタンＰＫ１に対応する保留操作元特定情報に基づいて保留操作元を特定する。この例の場合、保留操作元は、主装置１Ｃの電話機２Ｃであるので、主装置１Ｂの応答処理部１５２は、保留音を送信している主装置１Ｃに対する通話回線の切断要求を形成し、これを主装置１ＣにＩＰ網２００Ａを通じて送信する（ステップＳ６５）。
【０１６４】
切断要求を受信した主装置１Ｃでは、制御部１２０の制御の下、保留状態処理部１５３が機能し、「ＯＫメッセージ」を形成して主装置１Ｂに送信し（ステップＳ６６）、保留音の送信を停止すると共に、主装置１Ｂの電話機２Ｂとの間で接続していた通話回線を開放することになる。この後、主装置１Ｂと主装置１Ｄの応答処理部１５２が制御部１２０の制御の下、通話回線（通話パス）を接続し、保留状態にされていた主装置１Ｂの電話機２Ｂとの通話回線が、主装置１Ｄの電話機２Ｄとの間に接続され通話が引き継がれる（ステップＳ６７）。
【０１６５】
そして、切断要求を受信した、もともとの保留操作元の主装置１Ｃでは、制御部１２０の制御の下、設定解除部１５５がパーク保留の解除処理を行う。まず、設定解除部１５５は、パーク保留ボタン特定情報を含むパーク保留解除要求を形成し、これを他の主装置１Ａ、１Ｂ、１ＤにＩＰ網２００Ａを通じて送信する（ステップＳ６８、Ｓ６９，Ｓ７０）。
【０１６６】
パーク保留解除要求を受信した主装置１Ａ、１Ｂ、１Ｄのそれぞれでは、制御部１２０の制御の下、設定解除部１５５が機能し、パーク保留ボタンＰＫ１についてのパーク保留を解除する処理を行う。具体的には、設定解除部１５５は、パーク保留メモリ１４０の該当データを消去し、配下の電話機２Ａ、２Ｂ、２Ｄの該当するパーク保留ボタンの対応するＬＥＤの点滅動作を停止させるように制御する（ステップＳ７１Ａ、Ｓ７１Ｂ、Ｓ７１Ｄ）。この例では、主装置１Ａ、１Ｂ、１Ｄにおいて、パーク保留メモリ１４０のパーク保留ボタンＰＫ１についてのデータが消去される。また、主装置１Ａ、１Ｂ、１Ｄのそれぞれの配下の電話機２Ａ、２Ｂ、２Ｄのパーク保留ボタンＰＫ１に対応するＬＥＤの点滅が消灯（停止）するようにされる。
【０１６７】
また、保留操作元の主装置１Ｃにおいても、制御部１２０の制御の下、設定解除部１５５が機能し、パーク保留ボタンＰＫ１についてのパーク保留を解除する処理を行う。具体的には、設定解除部１５５は、パーク保留メモリ１４０の該当データを消去し、配下の電話機２Ｃの該当するパーク保留ボタンの対応するＬＥＤの点滅動作を停止させるように制御する（ステップＳ７１Ｃ）。すなわち、この例では、主装置１Ｃにおいても、パーク保留メモリ１４０のパーク保留ボタンＰＫ１についてのデータが消去される。また、主装置１Ｃの配下の電話機２Ｃのパーク保留ボタンＰＫ１に対応するＬＥＤの点滅が消灯（停止）するようにされる。
【０１６８】
このように、図１２を用いて説明した一連の処理により、パーク保留ボタンＰＫ１に保留状態にされた主装置１Ｂの電話機２Ｂとの間で接続していた通話回線が、主装置１Ｄの電話機２Ｄに引き継がれ、通話を引き継ぐことができる。そして、電話システムを構成する各主装置１Ａ、１Ｂ、１Ｃ、１Ｄでのパーク保留ボタンＰＫ１への通話回線の保留状態を適切に解除できる。
【０１６９】
この後、通話が終了し、例えば、主装置１Ｄの電話機２Ｄがハンドセット２０６を電話機２Ｄに戻すようにするオンフック操作を行うことにより、切断要求が主装置１Ｄから主装置１Ｂに送信される（ステップＳ７２）。これに応じて、主装置１Ｂの電話機２Ｂにおいて、ハンドセット２０６を電話機２Ｂに戻すようにするオンフック操作を行うことにより、「ＯＫメッセージ」が主装置１Ｂから主装置１Ｄに送信される（ステップＳ７３）。これにより、通話回線（通話パス）も解放される。ここでは、主装置１Ｄの配下の電話機２Ｄからオンフック操作されるものとして説明したが、主装置１Ｂの電話機２Ｂからオンフック操作することももちろん可能である。この場合には、切断要求と「ＯＫメッセージ」の送信元と送信先が変わるだけである。
【０１７０】
このように、図１１、図１２を用いて説明した場合には、パーク保留操作が行われた電話機２を収容する主装置１が、同じ電話システムの他の主装置１を制御して、ボタン電話システム間のパーク保留機能をも実現できる。
【０１７１】
［パーク保留機能を実現する場合の第２の実施の形態］
次に、マスター主装置が、同じ電話システムの他の主装置（スレーブ主装置）を制御して、ボタン電話システム間のパーク保留機能をも実現する場合の例について、図１３、図１４を参照しながら説明する。図１１、図１２を用いて説明した例の場合には、パーク保留操作が行われた電話機を収容する主装置が、同じ電話システムの他の主装置を制御するものであり、異なる電話機で同じパーク保留ボタンが同時に操作された場合の制御が若干複雑になる場合がある。
【０１７２】
このため、以下に説明する第２の実施の形態では、上述したように電話システムの構成時において、予め決められるマスター主装置とスレーブ主装置との関係を利用する。すなわち、以下に説明する第２の実施の形態では、常にマスター主装置が、他の主装置（スレーブ主装置）を制御して、ボタン電話システム間のパーク保留機能をも実現するものである。なお、この第２の実施の形態においても、電話システムは、図１０を用いて説明したように、東京の本社と、東北の支社１と、関西の支社２と、九州の支社３のそれぞれに構成されたボタン電話システムが、広域ネットワーク２００を通じて接続されて構成されたものである。
【０１７３】
図１３、図１４は、この第２の実施の形態のパーク保留機能の実行から終了までの処理を説明するためのシーケンス図である。図１３に示すように、この第２の実施の形態においても、上述した第１の実施の形態の場合と同様に、主装置１Ｂの配下の電話機２Ｂと主装置１Ｃの配下の電話機２Ｃとの間で通話回線（通話パス）を接続し、内線通話を行っているとする（ステップＳ８１）。そして、主装置１Ｃの配下の電話機２Ｃにおいて、例えば、図７の外観図に示したように、電話機２Ｃに設けられているパーク保留ボタンＰＫ１が操作されることにより、パーク保留機能が実行するようにされたとする（ステップＳ８２）。
【０１７４】
この場合、パーク保留ボタンＰＫ１が操作された電話機２Ｃにおいては、制御部２２０が、パーク保留ボタンＰＫ１が操作されたことを示すパーク保留ボタン特定情報を含むパーク保留実行要求を形成し、自機が接続された主装置１ＣにＬＡＮを通じて送信する。主装置１Ｃの制御部１２０は、配下の電話機２ＣからＬＡＮを通じて送信されてくるパーク保留実行要求を受け付ける。パーク保留実行要求を受け付けた主装置１Ｃでは、第２の設定部１５４が制御部１２０の制御の下、受け付けたパーク保留実行要求のパーク保留ボタン特定情報により特定されるパーク保留ボタンを、通話回線を保留状態にして設定するために確保する。このような一連の処理がステップＳ８２において行われる。
【０１７５】
次に、主装置１Ｃでは、保留状態処理部１５３が制御部１２０の制御の下、パーク保留ボタン特定情報を含む主装置１Ｂ宛てのパーク保留実行要求を形成し、これをＩＰ網２００Ａを通じて主装置１Ｂに送信する（ステップＳ８３）。当該パーク保留実行要求に含まれるパーク保留ボタン特定情報は、パーク保留ボタンが操作された電話機２Ｃからのパーク保留実行要求に含まれていたものである。パーク保留実行要求の送信先の主装置１Ｂにおいては、制御部１２０の制御の下、第１の設定部１５１が機能し、「ＯＫメッセージ」あるいは「ＮＧメッセージ」を形成し、これをＩＰ網２００Ａを通じて主装置１Ｃに送信する（ステップＳ８４）。
【０１７６】
なお、「ＯＫメッセージ」は、パーク保留機能の実行が可能な場合に形成される。また、「ＮＧメッセージ」は、パーク保留機能の実行が不能な場合に形成される。例えば、この例の場合には、主装置１Ｃからのパーク保留実行要求の到来とほぼ同時に、主装置１Ｂの配下の電話機２Ｂからも、パーク保留ボタンＰＫ１が操作されたことに応じたパーク保留実行要求が主装置１Ｂに到来した場合などである。
【０１７７】
この例において、主装置１Ｃが主装置１Ｂからの「ＮＧメッセージ」を受信した場合には、パーク保留操作が行われた電話機２Ｄに対して、警告オンや警告メッセージを提供し、パーク保留機能が実行できないことを通知する。また、主装置１Ｃが主装置１Ｂからの「ＯＫメッセージ」を受信した場合には、パーク保留機能の実行処理が進められることになる。
【０１７８】
そして、主装置１Ｃが主装置１Ｂからの「ＯＫメッセージ」を受信すると、主装置１Ｃは、パーク保留実行要求を形成し、これをＩＰ網２００Ａを通じてマスター主装置１Ａに送信する（ステップＳ８５）。主装置１Ｃからマスター主装置１Ａに送信されるパーク保留実行要求は、パーク保留ボタン特定情報と、保留操作元特定情報と、保留回線特定情報とを含むものである。
【０１７９】
ここで、パーク保留ボタン特定情報は、パーク保留操作が行われた主装置１Ｃの配下の電話機２Ｃから提供されたパーク保留実行要求に含まれていたパーク保留ボタン特定情報と同じである。また、保留操作元特定情報は、この例の場合にも、パーク保留操作元が主装置１Ｃの配下の電話機２Ｃであることを示す情報である。パーク保留操作元が主装置１Ｃ配下の内線番号が「３００１」番の電話機２Ｃであれば、図５に示したように、主装置１Ｃのシステム番号（システム３）とパーク保留操作元の電話機２Ｃの内線番号（３００１）とからなる情報が保留操作元特定情報となる。
【０１８０】
また、保留回線特定情報は、この例の場合には、主装置１Ｂの配下の電話機２Ｂであることを示す情報である。保留される通話回線が主装置１Ｂ配下の内線番号が「２００２」番の電話機２Ｂと接続されているものであれば、図５に示したように、主装置１Ｂのシステム番号（システム２）と接続先の電話機２Ｂの内線番号（２００２）とからなる情報が保留回線特定情報となる。
【０１８１】
マスター主装置１Ａは、主装置１Ｃからパーク保留実行要求に含まれる保留回線特定情報により特定される保留状態の通話回線は、どの主装置のどの通話回線を特定する。この第２の実施の形態においても、保留状態にされるのは、主装置１Ｂの電話機２Ｂとの間に接続されている通話回線である。このため、マスター主装置１Ａは、主装置１Ｂに対する通話回線の切り替え要求を形成し、これをＩＰ網２００Ａを通じて主装置１Ｂに送信する（ステップＳ８６）。
【０１８２】
切り替え要求を受信した主装置１Ｂでは、制御部１２０の制御の下、保留状態処理部１５３が機能し、通話回線の切り替えが不能でない場合には、「ＯＫメッセージ」を形成して、これをＩＰ網２００Ａを通じてマスター主装置１Ａに送信する（ステップＳ８７）。なお、例えば、切り替えるべき通信回線が既に切断させているのなど、通信回線の切り替えが不能な場合には、主装置１Ｂからマスター主装置１Ａには「ＮＧメッセージ」が送信されて来るので、この場合には以降の処理は中断される。
【０１８３】
そして、主装置１Ｂは、マスター主装置１Ａからの切り替え要求に応じて「ＯＫメッセージ」をマスター主装置１Ａに送信した場合には、主装置１Ｃとの間に接続していた通話回線を開放し、新たにマスター主装置１Ａとの間に通話回線（通話パス）を接続する。そして、マスター主装置１Ａは、主装置１Ｂとの間に接続された通話回線を通じて、主装置１Ｂの電話機２Ｂに対して保留音の送信を行う（ステップＳ８８）。
【０１８４】
この後、マスター主装置１Ａは、ステップＳ８５において受信したパーク保留実行要求の保留操作元情報により特定される保留操作元の主装置１Ｃに対して、パーク保留完了通知をＩＰ網２００Ａを通じて送信する（ステップＳ８９）。当該パーク保留完了通知を受信した主装置１Ｃにおいても、既に主装置１Ｂ側から解放するようにされた、主装置１Ｂの電話機２Ｂとの間に接続していた通話回線の開放を確定する処理が行われる。
【０１８５】
この後、マスター主装置１Ａの保留状態処理部１５３は、制御部１２０の制御の下、パーク保留設定要求を形成し、これをＩＰ網２００Ａを通じて他の主装置１Ｂ、１Ｃ、１Ｄに供給する（ステップＳ９０、Ｓ９１、Ｓ９２）。当該パーク保留設定要求は、ステップＳ８５において、主装置１Ｃから提供されたパーク保留実行要求に含まれていたパーク保留ボタン特定情報、保留操作元特定情報、保留回線特定情報を含むものである。
【０１８６】
パーク保留設定要求を受信した主装置１Ｂ、１Ｃ、１Ｄでは、制御部１２０の制御の下、第１の設定部１５１が機能し、パーク保留メモリ１４０への情報の設定と、パーク保留ボタンの対応ＬＥＤの点滅制御を行う（ステップＳ９３Ｂ、９３Ｃ、９３Ｄ）。具体的に、主装置１Ｂ、１Ｃ、１Ｄでは、第１の設定部１５１が受信したパーク保留設定要求からパーク保留ボタン特定情報、保留操作元特定情報、保留回線特定情報を抽出し、これらをパーク保留メモリ１４０に設定する。また、主装置１Ｂ、１Ｃ、１Ｄの第１の設定部１５１は、パーク保留ボタン特定情報により特定されるパーク保留ボタンＰＫ１の対応ＬＥＤを点滅させるようにする制御信号を形成し、これを制御部１２０を通じてＬＡＮに送出し、自機の配下の電話機２Ｂ、２Ｃ、２Ｄに供給する。
【０１８７】
また、マスター主装置１Ａでも、制御部１２０の制御の下、第２の設定部１５４が機能し、パーク保留メモリ１４０への情報の設定と、パーク保留ボタンの対応ＬＥＤの点滅制御を行う（ステップＳ９３Ａ）。具体的に、マスター主装置１Ａでは、第２の設定部１５４が、送信したパーク保留設定要求に含めたパーク保留ボタン特定情報、保留操作元特定情報、保留回線特定情報をパーク保留メモリ１４０に設定する。また、第２の設定部１５４は、パーク保留ボタン特定情報により特定されるパーク保留ボタンＰＫ１の対応ＬＥＤを点滅させるようにする制御信号を形成し、これを制御部１２０を通じてＬＡＮに送出し、配下の電話機２Ａに供給する。
【０１８８】
図１３に示した各ステップの処理により、主装置１Ｃの配下の電話機２Ｃのパーク保留ボタンに対する操作に応じて、マスター主装置１Ａが当該電話システムを構成する各主装置１Ｂ、１Ｃ、１Ｄを制御する。そして、マスター主装置１Ａを含め、当該電話システムを構成する主装置１Ａ、１Ｂ、１Ｃ、１Ｄの配下の電話機２Ａ、２Ｂ、２Ｃ、２Ｄをパーク保留状態にできる。
【０１８９】
そして、図１４に示すように、パーク保留状態になり、マスター主装置１Ａと主装置１Ｂとの間に接続されるように切り替えられた通話回線を通じて、マスター主装置１Ａから主装置１Ｂに保留音が提供されている状態にあるとする（ステップＳ１０１）。この場合、第１の実施の形態の場合と同様に、パーク保留操作が行われた主装置１Ｃの電話機２Ｃの使用者は、別途の内線電話や、パーソナルコンピュータ等の通信端末を用いたチャットやメールなどで、目的とする相手先にパーク保留への応答を要請する。この第２の実施の形態でも、主装置１Ｃの電話機２Ｃの使用者が、主装置１Ｄの電話機２Ｄの使用者に、パーク保留ボタンＰＫ１に設定されたパーク保留への応答を要請したとする。
【０１９０】
当該パーク保留への応答要請に応じて、主装置１Ｄの電話機２Ｄの使用者が、対応するＬＥＤが点滅しているパーク保留ボタンＰＫ１を押下操作することにより、パーク保留応答操作を行ったとする（ステップＳ１０２）。この場合、パーク保留ボタンＰＫ１が操作された電話機２Ｄにおいては、制御部２２０が、パーク保留ボタンＰＫ１が操作されたことを示すパーク保留ボタン特定情報を含むパーク保留応答要求を形成し、ＬＡＮを通じて自機が接続された主装置１Ｄに送信する。
【０１９１】
主装置１Ｄの制御部１２０は、配下の電話機２Ｄからのパーク保留応答要求を受け付ける。主装置１Ｄでは、制御部１２０の制御の下、応答処理部１５２が、受け付けたパーク保留応答要求のパーク保留ボタン特定情報により特定されるパーク保留ボタンに対応するパーク保留情報をパーク保留メモリ１４０から読み出す。応答処理部１５２は、読み出したパーク保留情報の保留回線特定情報に基づいて、保留状態にされている通信回線は、どの主装置のどの通信回線かを特定する。そして、応答処理部１５２は、当該保留状態にされている通信回線の相手先となる主装置に対するパーク保留応答要求を形成し、これをＩＰ網２００Ａを通じて当該相手先となる主装置に送信する。
【０１９２】
この例の場合、上述もしたように、主装置１Ｂの電話機２Ｂとの間に接続されている通話回線が、主装置１Ｃの電話機２Ｃのパーク保留操作によって保留状態にされている。このため、パーク保留メモリ１４０の保留回線特定情報により、パーク保留ボタンＰＫ１に保留状態にされている通話回線は、主装置１Ｂの電話機２Ｂとの間で接続している通話回線ということが特定できる。このため、主装置１Ｄは、主装置１Ｂに対してパーク保留ボタンＰＫ１に保留状態にしている通話回線に応答するためのパーク保留応答要求を形成し、これをＩＰ網２００Ａを通じて主装置１Ｂに送信する（ステップＳ１０３）。
【０１９３】
パーク保留応答要求を受信した主装置１Ｂにおいては、制御部１２０の制御の下、応答処理部１５２が当該パーク保留応答要求に応じて接続中の通話回線を主装置１Ｄの電話機２Ｄに引き継ぐための処理を行う。この場合、主装置１Ｂの応答処理部１５２は、主装置１Ｄに対する「ＯＫメッセージ」を形成し、これをＩＰ網２００Ａを通じてパーク保留応答要求元の主装置１Ｄに返信する（ステップＳ１０４）。
【０１９４】
さらに、主装置１Ｂの応答処理部１５２は、保留音を送信しているマスター主装置１Ａに対する通話回線の切断要求を形成し、これをマスター主装置１ＡにＩＰ網２００Ａを通じて送信する（ステップＳ１０５）。
【０１９５】
切断要求を受信したマスター主装置１Ａでは、制御部１２０の制御の下、保留状態処理部１５３が機能し、「ＯＫメッセージ」を形成して主装置１Ａに送信し（ステップＳ１０６）、保留音の送信を停止すると共に、主装置１Ｂの電話機２Ｂとの間で接続している通話回線を開放することになる。この後、主装置１Ｂと主装置１Ｄの応答処理部１５２が制御部１２０の制御の下、通話回線（通話パス）を接続し、保留状態にされていた主装置１Ｂの電話機２Ｂとの通話回線が、主装置１Ｄの電話機２Ｄとの間に接続され通話が引き継がれる（ステップＳ１０７）。
【０１９６】
そして、マスター主装置１Ａでは、制御部１２０の制御の下、設定解除部１５５がパーク保留の解除処理を行う。まず、設定解除部１５５は、パーク保留ボタン特定情報を含むパーク保留解除要求を形成し、これを他の主装置１Ｂ、１Ｃ、１ＤにＩＰ網２００Ａを通じて送信する（ステップＳ１０８、Ｓ１０９，Ｓ１１０）。
【０１９７】
パーク保留解除要求を受信した主装置１Ｂ、１Ｃ、１Ｄのそれぞれでは、制御部１２０の制御の下、設定解除部１５５が機能し、パーク保留ボタンＰＫ１についてのパーク保留を解除する処理を行う。具体的には、設定解除部１５５は、パーク保留メモリ１４０の該当データを消去し、配下の電話機２Ｂ、２Ｃ、２Ｄの該当するパーク保留ボタンの対応するＬＥＤの点滅動作を停止させるように制御する（ステップＳ１１１Ｂ、Ｓ１１１Ｃ、Ｓ１１１Ｄ）。この例では、主装置１Ｂ、１Ｃ、１Ｄにおいて、パーク保留メモリ１４０のパーク保留ボタンＰＫ１についてのデータが消去される。また、主装置１Ｂ、１Ｃ、１Ｄのそれぞれの配下の電話機２Ｂ、２Ｃ、２Ｄのパーク保留ボタンＰＫ１に対応するＬＥＤの点滅が消灯（停止）するようにされる。
【０１９８】
また、マスター主装置１Ａにおいても、制御部１２０の制御の下、設定解除部１５５が機能し、パーク保留ボタンＰＫ１についてのパーク保留を解除する処理を行う。具体的には、設定解除部１５５は、パーク保留メモリ１４０の該当データを消去し、配下の電話機２Ａの該当するパーク保留ボタンの対応するＬＥＤの点滅動作を停止させるように制御する（ステップＳ１１１Ａ）。すなわち、この例では、マスター主装置１Ａにおいても、パーク保留メモリ１４０のパーク保留ボタンＰＫ１についてのデータが消去される。また、マスター主装置１Ａの配下の電話機２Ａのパーク保留ボタンＰＫ１に対応するＬＥＤの点滅が消灯（停止）するようにされる。
【０１９９】
このように、図１４を用いて説明した一連の処理により、パーク保留ボタンＰＫ１に保留状態にされた主装置１Ｂの電話機２Ｂとの間で接続していた通話回線が、主装置１Ｄの電話機２Ｄに引き継がれ、通話を引き継ぐことができる。そして、電話システムを構成する各主装置１Ａ、１Ｂ、１Ｃ、１Ｄでのパーク保留ボタンＰＫ１への通話回線の保留状態を適切に解除できる。
【０２００】
この後、通話が終了し、例えば、主装置１Ｄの電話機２Ｄがハンドセット２０６を電話機２Ｄに戻すようにするオンフック操作を行うことにより、切断要求が主装置１Ｄから主装置１Ｂに送信される（ステップＳ１１２）。これに応じて、主装置１Ｂの電話機２Ｂにおいて、ハンドセット２０６を電話機２Ｂに戻すようにするオンフック操作を行うことにより、「ＯＫメッセージ」が主装置１Ｂから主装置１Ｄに送信される（ステップＳ１１３）。これにより、通話回線（通話パス）も解放される。ここでは、主装置１Ｄの配下の電話機２Ｄからオンフック操作されるものとして説明したが、主装置１Ｂの電話機２Ｂからオンフック操作することももちろん可能である。この場合には、切断要求と「ＯＫメッセージ」の送信元と送信先が変わるだけである。
【０２０１】
このように、図１３、図１４を用いて説明した場合には、マスター主装置１Ａが、自機及び他のスレーブ主装置を制御して、ボタン電話システム間のパーク保留機能をも実現できる。そして、マスター主装置１Ａが制御の主体となるので、パーク保留実行要求の重複時の制御はマスター主装置１Ａで一括して行う。このため、複数の電話機において、同じパーク保留ボタンが同時に操作された場合などにおける制御に係る負荷をマスター主装置１Ａに集約することができると共に、その制御も比較的に簡単に行うことができる。
【０２０２】
［マスター主装置の配下の電話機でパーク保留操作が行われた場合］
なお、この第２の実施の形態においては、マスター主装置１Ａにおいて、パーク保留ボタンが操作されてパーク保留機能が実行される場合もある。この場合においても、基本的には、図１３、図１４を用いて説明した処理とほぼ同様の処理が行われることになる。ただし、パーク保留操作が行われた電話機を収容する主装置とマスター主装置とが同一であるので、パーク保留操作が行われた電話機を収容する主装置からマスター主装置へのパーク保留実行要求の送信やマスター主装置からパーク保留操作が行われた電話機を収容する主装置へのパーク保留完了通知の送信は行われない。また、これらの通知に対応して行われる「ＯＫメッセージ」や「ＮＧメッセージ」の送信も行われない。
【０２０３】
［実施の形態の効果］
上述したように、複数のボタン電話システムが広域ネットワークを通じて接続されることにより広域に形成される電話システムにおいて、ボタン電話システム間でもパーク保留機能を簡単かつ確実に実現することができる。もちろん、ボタン電話システム内におけるパーク保留機能も従来通り行える。
【０２０４】
［変形例など］
なお、上述したように、広域に電話システムを構築する場合に、主装置１Ａをマスター主装置とし、主装置１Ｂ、１Ｃをスレーブ主装置としたが、これに限るものではない。主装置１Ｂ、１Ｃ、１Ｄもまた、マスター主装置となる機能を備えているため、主装置１Ｂ、１Ｃ、１Ｄをマスター主装置として電話システムを構築することもできる。また、電話システムを構成する主装置の数も特に制限されるものではない。
【０２０５】
また、マスター主装置とスレーブ主装置とが固定的に定められる場合には、マスター主装置となる主装置には、マスター主装置としての機能だけを搭載し、スレーブ主装置となる主装置には、スレーブ主装置としての機能だけを搭載するように構成することもできる。マスター主装置としてだけの機能を備える場合には、登録処理部１３１の第１、第２の登録部１３１Ａ、１３１Ｂと、配布処理部１３２を設けるようにすればよい。また、スレーブ主装置としてだけの機能を備える場合には、登録処理部１３１の第３、第４の登録部１３１Ｃ、１３１Ｄを設けるようにすればよい。
【０２０６】
また、上述した実施の形態では、マスター主装置１Ａに対して予め設定されるシステム情報は、外部Ｉ／Ｆ１１１及び外部端子１１２を通じて接続されるＰＣを通じて登録するものとして説明したが、これに限るものではない。例えば、ＩＰ網２００Ａ上に設けられる所定のサーバ装置にシステム情報を用意し、マスター主装置１Ａが当該サーバ装置にアクセスして、予め決められるシステム情報をダウンロードするようにしてもよい。同様に、各スレーブ主装置に登録するマスター主装置のＩＰアドレスやパスワードなどのマスター主装置に関する情報についても、ＩＰ網２００Ａ上の所定のサーバ装置に用意しておく。そして、各スレーブ主装置が当該サーバ装置にアクセスして、用意されているマスター主装置に関する情報をダウンロードするようにしてもよい。このようにする場合には、マスター主装置やスレーブ主装置にデータのダウンロード用のソフトウェアを搭載し、必要に応じてこれを実行するようにすればよい。
【０２０７】
また、上述した実施の形態では、本社（東京）の主装置１Ａと、支社１（東北）の主装置１Ｂと、支社２（関西）の主装置１Ｃとから電話システムを構成するものとして説明した。しかし、これに限るものではない。例えば、関東地方、東北地方、関西地方のそれぞれには、複数の支店が存在し、それらの支店にも主装置が設置され、支店に設置された主装置もＩＰ網２００Ａを通じて通信路を接続して電話システムを構築するようにできる。
【０２０８】
この場合には、共通データに含まれるグループＩＤも用いるようにする。すなわち、関東地方に位置する本社、支社、支店に配置される主装置には、関東地方を示すグループＩＤを付与する。また、東北地方に位置する本社、支社、支店に配置される主装置には、東北地方を示すグループＩＤを付与する。また、関西地方に位置する本社、支社、支店に配置される主装置には、関西地方を示すグループＩＤを付与する。
【０２０９】
このようにすれば、当該電話システムにおいて、ボタン電話システム間で内線電話を掛ける場合に、入力された着信先の内線番号に基づいて、着信先の電話機が属するグループのグループＩＤと、ボタン電話システムのシステム番号とを特定する。これにより、着信先がどのグループのどのボタン電話システムに属するのかを適切に把握し、迅速に通信路を接続するように制御することが可能となる。なお、この場合には、アドレスデータ記憶部１０６には、グループＩＤ毎に、アドレスデータを記憶するようにすればよい。
【０２１０】
また、上述した実施の形態では、マスター主装置になるための優先順位が設定されていた。このため、上述した実施の形態の場合に、本社に設置された主装置１Ａが、何等かの原因により可動不能になった場合には、有線順位が「第２位」の主装置１Ｂがマスター主装置となることにより、新たに設置される主装置が電話システムに加われないといった不都合を回避できる。
【０２１１】
また、図１１〜図１２、図１３〜図１４のシーケンス図に示した処理も一例であり、種々の変更が可能である。図１１のステップＳ４９、ステップＳ５０のパーク保留移行の通知と確認処理は、省略することもできる。また、パーク保留情報のパーク保留メモリ１４０への格納と、配下の電話機のパーク保留ボタンに対応するＬＥＤの点滅制御とはどちらを最初に行うようにすることもできる。図１１のステップＳ５２〜ステップＳ５３のパーク保留の移行完了通知を省略するなどのことも可能である。すなわち、図１１〜図１２、図１３〜図１４のシーケンス図に示した処理については適宜の変更が可能である。
【０２１２】
また、図２に示した主装置１の構成において、登録処理部１３１、配布処理部１３２、接続状態通知処理部１３３の各機能は、制御部１２０において実行されるプログラムによって制御部１２０の機能として実現することもできる。同様に、パーク保留機能実行部１５０の各部の機能を、制御部１２０において実行されるプログラムによって制御部１２０の機能として実現することもできる。
【０２１３】
また、上述した実施の形態においては、パーク保留機能が用いられた場合には、接続中の通話回線が保留状態に設定するようにされたパーク保留ボタンに対応するＬＥＤを点滅させるようにしたが、これに限るものではない。パーク保留ボタンが操作されて、パーク保留機能が実行された場合に、パーク保留要求を行った電話機と主装置との情報を電話機２のディスプレイ２１４に表示させるようにしてもよい。もちろん、パーク保留要求を行った電話機と主装置の内の一方の情報を、電話機２のディスプレイ２１４に表示させることもできる。
【０２１４】
これにより、例えば、「ＰＫ１：システム１（本社）：内線１０００」というように、パーク保留ボタンＰＫ１が、システム１（本社）の内線１０００番の電話機で利用されたことを通知することができる。また、「ＰＫ１：システム１（本社）」というように、パーク保留ボタンＰＫ１が、システム１（本社）で利用されたことを通知したり、「ＰＫ１：内線１０００」というように、パーク保留ボタンＰＫ１が、内線１０００番の電話機で利用されたことを通知したりできる。
【０２１５】
また、パーク保留ボタンが操作されて、パーク保留機能が実行された場合に、操作されたパーク保留ボタンに設定するようにされた通話回線を示す情報を電話機２のディスプレイ２１４に表示することもできる。例えば、「ＰＫ１：相手先：システム２：内線２０００」などのように、パーク保留ボタンＰＫ１に、システム２の内線２０００の電話機との間の通話回線が保留にされていることを示すこともできる。もちろん、保留操作元と保留された通話回線の両方を電話機２のディスプレイ２１４に表示することもできる。
【０２１６】
これらの情報の電話機２のディスプレイ２１４への表示は、主装置１の制御部１２０において、配下の電話機２への表示制御信号を形成し、これをＬＡＮを通じて配下の電話機２に提供することにより実現できる。各電話機２では、主装置１からの表示制御信号を接続端子２０１及びＬＡＮＩ／Ｆ２０２を通じて受信し、制御部２２０がディスプレイコントローラ２１３を制御することにより、目的とする情報のディスプレイ２１４への表示を実現できる。
【０２１７】
また、上述した第１、第２の実施の形態では、内線電話をパーク保留機能を用いて保留する場合を例にして説明したが、外線電話についても同様にしてパーク保留機能を用いて保留できる。すなわち、例えば、本社（システム１）の電話機２Ａ（１）で受けた外線電話をパーク保留ボタンＰＫ１に保留する。そして、支社２（システム２）の電話機２Ｃ（１）でパーク保留ボタンＰＫ１を押下操作することにより、当該外線電話を支社２（システム２）の電話機２Ｃ（１）で受けるといったことが可能である。
【０２１８】
また、上述した実施の形態においては、ＩＰ網２００Ａを通じて主装置間を接続して広域の電話システムを構築する場合を例にして説明したが、例えば、専用線などのＩＰ網２００Ａ以外のネットワークを通じて主装置間を接続し、電話システムを構築する場合にも、この発明を適用できる。この場合に、アドレスデータは、例えば、代表電話番号などの主装置を特定可能な識別情報を含むことになる。
【０２１９】
［その他］
上述した実施の形態の説明からも分かるように、システム情報記憶手段の機能は、主装置１のアドレスデータ記憶部１０６及び番号計画データ記憶部１０７からなるシステム情報記憶部が実現する。また、パーク保留情報記憶手段の機能は、主装置１のパーク保留メモリ１４０が実現する。また、設定要求受信手段、設定要求送信手段、解除要求送信手段、解除要求受信手段、実行要求受信手段、スレーブ側解除要求受信手段、切断要求受信手段等の送信手段または受信手段の機能は、主装置１の接続端子及びＩＰ網Ｉ／Ｆと制御部１２０が協働して実現する。また、応答通知受付手段、保留通知受付手段、実行通知受付手段の各機能は、主装置１の接続端子１１０及びＬＡＮＩ／Ｆ１０９と制御部１２０が協働して実現する。
【０２２０】
また、第１の設定手段と第１の設定表示制御手段の機能は、主装置１の主に第１の設定部１５１が実現し、応答処理手段、切断要求送信処理手段の機能は、主装置１の応答処理部１５２が実現する。また、保留状態処理手段、マスター側解除要求送信処理手段の機能は、主装置１の保留状態処理部１５３が実現する。また、第２の設定手段と第２の設定表示制御手段の機能は、主装置１の主に第２の設定部１５４が実現する。また、設定解除手段、解除表示制御手段、スレーブ側設定解除手段、第２の解除表示制御手段、マスター側設定解除手段、マスター側解除表示制御手段の各機能は、主装置１の設定解除部１５５が実現する。
【０２２１】
また、図１１〜図１２、図１３〜図１４のシーケンス図を用いて説明した電話システムの動作（処理）に対応する方法が、この発明のパーク保留制御方法の一実施の形態が適用されたものである。また、図１１〜図１２、図１３〜図１４のシーケンス図を用いて説明した電話システムの動作（処理）において、各主装置で行われる処理を実行するプログラムを作成し、これを各主装置に搭載することにより、この発明の電話制御装置を構成することもできる。
【０２２２】
すなわち、上述もしたように、図２に示したパーク保留機能実行部１５０の各部の機能は、制御部１２０で実行されるプログラム（ソフトウェア）によって実現することが可能である。
【符号の説明】
【０２２３】
１、１Ａ、１Ｂ、１Ｃ、１Ｄ…主装置、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレスデータ記憶部、１０７…番号計画データ記憶部、１０８…マスター情報メモリ、１０９…ＬＡＮＩ／Ｆ、１１０…ＬＡＮへの接続端子、１１１…外部Ｉ／Ｆ、１１２…外部端子、１２０…制御部、１３１…登録処理部、１３２…配布処理部、１３３…接続状態通知処理部、１４０…パーク保留メモリ、１５０…パーク保留機能実行部、１５１…第１の設定部、１５２…応答処理部、１５３…保留状態処理部、１５４…第２の設定部、１５５…設定解除部、２Ａ（１）、２Ａ（２）、…電話機、２Ｂ（１）、２Ｂ（２）、…電話機、２Ｃ（１）、２Ｃ（２）、…電話機、２Ｄ（１）、２Ｄ（２）、…電話機、ＰＫ１〜ＰＫ４…パーク保留ボタン
【図１】
0006414437.tif 000002
【図２】
0006414437.tif 000003
【図３】
0006414437.tif 000004
【図４】
0006414437.tif 000005
【図５】
0006414437.tif 000006
【図６】
0006414437.tif 000007
【図７】
0006414437.tif 000008
【図８】
0006414437.tif 000009
【図９】
0006414437.tif 000010
【図１０】
0006414437.tif 000011
【図１１】
0006414437.tif 000012
【図１２】
0006414437.tif 000013
【図１３】
0006414437.tif 000014
【図１４】
0006414437.tif 000015